(57)【要約】  ファン組立体が提供され、ファン組立体は、空気流を生成するように構成されたモータ駆動式インペラと、ファン組立体から空気流を放出するように構成された空気出口と、空気流がファン組立体から放出される前に空気流を浄化するように構成されている少なくとも１つのフィルタ組立体と、複数の空気質特性の各々の値を測定するように構成された複数のセンサと、プロセッサとを備える。プロセッサは、複数のセンサから、複数の空気質特性の各々の測定値を受け取り、測定された空気質特性の各々に関して、測定値がその中に収まる対応する区間セットのうちの１つを特定し、特定された区間に関連する空気質指標値を選択し、選択した空気質指標値を用いて対応する速度値を生成するように構成されている。次に、プロセッサは、速度値の最大のものに基づいてモータ駆動式インペラの速度を設定するように構成されている。【選択図】      図１
2021516307.tif 000002
【特許請求の範囲】
【請求項１】
ファン組立体であって、
空気流を生成するように構成されたモータ駆動式インペラと、
前記ファン組立体から空気流を放出するように構成された空気出口と、
前記空気流が前記ファン組立体から放出される前に前記空気流を浄化するように構成されている少なくとも１つのフィルタ組立体と、
複数の空気質特性の各々の値を測定するように構成された複数のセンサと、
プロセッサと、
を備え、前記プロセッサは、
前記複数のセンサから、前記複数の空気質特性の各々の測定値を受け取り、
前記測定された空気質特性の各々に関して、前記測定値がその中に収まる対応する区間セットのうちの１つを特定し、前記特定された区間に関連する空気質指標値を選択し、かつ前記選択した空気質指標値を用いて対応する速度値を生成し、
前記速度値の最大のものに基づいて前記モータ駆動式インペラの速度を設定する、
ように構成されている、ファン組立体。
【請求項２】
前記ファン組立体のユーザに対してデータを提示するように構成された表示装置をさらに備え、前記プロセッサは、前記表示装置上に現在の空気質指標値の指標を提示するグラフを生成するようにさらに構成されている、請求項１に記載のファン組立体。
【請求項３】
前記プロセッサは、前記選択された空気質指標値のうちの最大のものを現在の全体空気質指標値として特定し、前記表示装置に前記現在の全体空気質指標値及び多数の先行する全体空気質指標値の時系列プロットを表示させる、ように構成されている、請求項２に記載のファン組立体。
【請求項４】
前記複数の空気質特性は、
ＰＭ2.5粒子濃度、
ＰＭ10粒子濃度、
揮発性有機化合物濃度、
二酸化窒素濃度、
二酸化硫黄濃度、及び
オゾン濃度、
のいずれかを含む、請求項１から３のいずれかに記載のファン組立体。
【請求項５】
前記複数のセンサは、
１又は２以上の粒子状物質センサ、及び
１又は２以上のガスセンサ、
を含む、請求項１から４のいずれかに記載のファン組立体。
【請求項６】
前記１又は２以上の粒子状物質センサは、２．５μｍ以下の直径の粒子濃度を示す値を測定しかつ１０μｍ以下の直径の粒子濃度を示す値を測定するように構成される、請求項５に記載のファン組立体。
【請求項７】
前記１又は２以上の粒子状物質センサは、２．５μｍ未満の平均空気動力学的直径の粒子濃度を示す値を測定し、かつ１０μｍ未満の平均空気動力学的直径の粒子濃度を示す値を測定するように構成されている、請求項５に記載のファン組立体。
【請求項８】
前記１又は２以上のガスセンサは、揮発性有機化合物濃度及び二酸化窒素濃度の各々を示す値を測定するように構成されている、請求項６又は７に記載のファン組立体。
【請求項９】
前記１又は２以上のガスセンサは、還元ガスセンサ及び酸化センサを含む、請求項８に記載のファン組立体。
【請求項１０】
前記還元ガスセンサは、揮発性有機化合物濃度を示す値を提供するように構成され、前記酸化センサは、二酸化窒素濃度を示す値を提供するように構成される、請求項９に記載のファン組立体。
【請求項１１】
前記測定値がその中に収まる対応する区間セットの１つを特定するために、前記プロセッサは、
メモリから前記空気質特性に関連した区間を取得し、前記空気質特性に関する前記測定値を前記セット内の区間と比較する、
ように構成される、請求項１から１０のいずれかに記載のファン組立体。
【請求項１２】
前記特定された区間に関連した空気質指標値を選択するために、前記プロセッサは、
メモリから前記特定された区間に関連した空気質指標値を取得する、
ように構成される、請求項１から１１のいずれかに記載のファン組立体。
【請求項１３】
前記選択された空気質指標値を用いて対応する速度値を生成するために、前記プロセッサは、
前記選択された空気質指標値と目標空気質指標値との間の差分を計算し、前記計算された差分を用いて対応する速度値を生成する、
ように構成される、請求項１から１２のいずれかに記載のファン組立体。
【請求項１４】
前記選択された空気質指標値を用いて対応する速度値を生成するために、前記プロセッサは、
前記選択された空気質指標値を、対応する速度値を生成するクローズドループ空気質制御器に入力する、
ように構成されている、請求項１から１３いずれかに記載のファン組立体。
【請求項１５】
前記クローズドループ空気質制御器は、比例積分コントローラを実装するように構成される、請求項１４に記載のファン組立体。
【請求項１６】
前記プロセッサは、浮動小数点速度値を生成し、前記浮動小数点速度値を整数速度値に変換するようにさらに構成されており、前記整数速度値は、前記モータ駆動式インペラの複数の利用可能な速度のうちの１つに対応する、請求項１４に記載のファン組立体。
【請求項１７】
前記プロセッサは、前記モータ駆動式インペラの速度を複数の利用可能な速度のうちの１つに設定するようにさらに構成されており、前記複数の利用可能な速度の各々は、整数速度値に関連しており、前記プロセッサは、前記整数速度値でカバーされた範囲内の浮動小数点速度値を生成するように構成されている、請求項１６に記載のファン組立体。
【請求項１８】
前記モータ駆動式インペラの速度を前記速度値の最大のものに基づいて設定するために、前記プロセッサは、
前記速度値の最大のものを選択し、
前記選択された速度値と現在の速度値との間の差分を決定し、
前記差分が速度変化閾値を超えるか否かを決定し、
前記差分が前記速度変化閾値を超える場合にのみ前記モータ駆動式インペラの前記速度を変える、
ように構成される、請求項１から１７のいずれかに記載のファン組立体。
【請求項１９】
前記差分が速度変化閾値を超えるか否かを決定するために、前記プロセッサは、
前記選択された速度値が前記現在の速度値よりも大きいような、前記差分が正の場合、前記速度変化閾値として第１の速度変化閾値を選択し、前記選択された速度値が前記現在の速度値よりも小さいような、前記差分が負の場合、前記速度変化閾値として第２の速度変化閾値を選択する、請求項１８に記載のファン組立体。
【請求項２０】
前記速度値の最大のものに基づいて前記モータ駆動式インペラの速度を設定するために、前記プロセッサは、
前記モータ駆動式インペラの前記速度の最後の変更からの経過時間が変更頻度閾値を超えるか否かを決定し、
前記経過時間が前記変更頻度閾値を超える場合、前記選択された速度値に対応する速度を選択して、前記モータ駆動式インペラの前記速度を前記選択された速度に変更し、
前記経過時間が前記変更頻度閾値を超えない場合、前記モータ駆動式インペラの現在の速度を維持する、
ように構成される、請求項１８又は１９のいずれかに記載のファン組立体。
【請求項２１】
前記モータ駆動式インペラの最後の変更からの経過時間が変更頻度閾値を超える場合、前記プロセッサは、
前記選択された速度値と現在の速度値との間の差分を決定し、
前記選択された速度値が前記現在の速度値よりも大きいような、前記差分が正の場合、前記変更頻度差異閾値として第１の変更頻度閾値を選択し、
前記選択された速度値が前記現在の速度値よりも小さいような、前記差分が負の場合、前記変更頻度差異閾値として第２の変更頻度閾値を選択する、
ように構成される、請求項２０に記載のファン組立体。
【請求項２２】
前記モータ駆動式インペラによって空気が通過して前記ファン組立体の中に引き込まれる空気入口をさらに備える、請求項１から２１のいずれかに記載のファン組立体。
【請求項２３】
前記少なくとも１つのフィルタ組立体は、前記空気入口の上に取り付けられる、請求項２２に記載のファン組立体。
【請求項２４】
空気が通過して前記ファン組立体の中に引き込まれかつ前記複数のセンサに接触する、追加の空気入口を備える、請求項２２又は２３のいずれかに記載のファン組立体。
【請求項２５】
前記ファン組立体は、ファン本体の上に取り付けられたノズルを備え、前記モータ駆動式インペラは前記ファン本体の中に収容され、前記空気出口は、前記ノズルによって提供され、前記ノズルは、前記ファン本体から空気流を受け取り、前記空気出口から前記空気流を放出するように構成される、請求項２４に記載のファン組立体。
【請求項２６】
前記複数のセンサは、前記ファン本体の中に収容され、前記ファン本体は、前記空気入口及び前記追加の空気入口の両方を含む、請求項２５に記載のファン組立体。
【請求項２７】
前記ノズルは、前記ファン本体の上端に連結するベースを含み、前記複数のセンサは、前記ノズルの前記ベースの中に封入される、請求項２５に記載のファン組立体。
【請求項２８】
前記ファン本体は前記空気入口を含み、前記ノズルのベースは、前記追加の空気入口を含む、請求項２７に記載のファン組立体。
【請求項２９】
モータ駆動式インペラを備えるファン組立体を制御するコンピュータに実装された方法であって、
複数のセンサを用いて、複数の空気質特性の各々に関する値を測定するステップと、  
プロセッサを用いて、
前記測定された空気質特性に関して、測定値がその中に収まる対応する区間セットのうちの１つを特定し、前記特定された区間に関する空気質指標値を選択して、前記選択された空気質指標値を用いて対応する速度値を生成するステップと、
前記速度値の最大のものに基づいて前記モータ駆動式インペラの速度を設定するステップと、
を含む、コンピュータに実装された方法。
【請求項３０】
前記複数の空気質特性は、
ＰＭ2.5粒子濃度、
ＰＭ10粒子濃度、
揮発性有機化合物濃度、
二酸化窒素濃度、
二酸化硫黄濃度、及び
オゾン濃度、
のいずれかを含む、請求項２９に記載のコンピュータに実装された方法。
【請求項３１】
前記複数のセンサは、
１又は２以上の粒子状物質センサ、及び
１又は２以上のガスセンサ、
を含む、請求項２９又は３１に記載のコンピュータに実装された方法。
【請求項３２】
前記１又は２以上の粒子状物質センサは、２．５μｍ以下の直径の粒子濃度を示す値を測定しかつ１０μｍ以下の直径の粒子濃度を示す値を測定するように構成される、請求項３１に記載のコンピュータに実装された方法。
【請求項３３】
前記１又は２以上の粒子状物質センサは、２．５μｍ未満の平均空気動力学的直径の粒子濃度を示す値を測定し、かつ１０μｍ未満の平均空気動力学的直径の粒子濃度を示す値を測定するように構成されている、請求項３１に記載のコンピュータに実装された方法。
【請求項３４】
前記１又は２以上のガスセンサは、揮発性有機化合物濃度及び二酸化窒素濃度の各々を示す値を測定するように構成されている、請求項３１から３３のいずれかに記載のコンピュータに実装された方法。
【請求項３５】
前記１又は２以上のガスセンサは、還元ガスセンサ及び酸化センサを含む、請求項３４に記載のコンピュータに実装された方法。
【請求項３６】
前記還元ガスセンサは、揮発性有機化合物濃度を示す値を提供するように構成され、前記酸化センサは、二酸化窒素濃度を示す値を提供するように構成される、請求項３５に記載のコンピュータに実装された方法。
【請求項３７】
前記測定値がその中に収まる対応する区間セットの１つを特定するステップは、
メモリから前記空気質特性に関連した区間を取得するステップと、前記空気質特性に関する前記測定値を前記セット内の区間と比較するステップとを含む、請求項２９から３６のいずれかに記載のコンピュータに実装された方法。
【請求項３８】
前記特定された区間に関連した空気質指標値を選択するステップは、
メモリから前記特定された区間に関連した空気質指標値を取得するステップを含む、請求項２９から３７のいずれかに記載のコンピュータに実装された方法。
【請求項３９】
前記選択された空気質指標値を用いて対応する速度値を生成するステップは、
前記選択された空気質指標値と目標空気質指標値との間の差分を用いて、対応する速度値を決定するステップを含む、請求項２９から３８のいずれかに記載のコンピュータに実装された方法。
【請求項４０】
前記選択された空気質指標値を用いて対応する速度値を生成するステップは、
前記選択された空気質指標値を、対応する速度値を出力するクローズドループ空気質制御器に入力として提供するステップを含む、請求項２９から３９のいずれかに記載のコンピュータに実装された方法。
【請求項４１】
前記クローズドループ空気質制御器は、比例積分制御を実行する、請求項４０に記載のコンピュータに実装された方法。
【請求項４２】
浮動小数点速度値を生成し、前記浮動小数点速度値を整数速度値に変換するステップをさらに含み、前記整数速度値は、前記モータ駆動式インペラの複数の利用可能な速度のうちの１つに対応する、請求項２９から４１のいずれかに記載のコンピュータに実装された方法。
【請求項４３】
前記プロセッサは、前記モータ駆動式インペラの速度を複数の利用可能な速度のうちの１つに設定するようにさらに構成されており、前記複数の利用可能な速度の各々は、整数速度値に関連しており、前記方法は、前記整数速度値でカバーされた範囲内の浮動小数点速度値を生成するステップを含む、請求項４２に記載のコンピュータに実装された方法。
【請求項４４】
前記モータ駆動式インペラの速度を前記速度値の最大のものに基づいて設定するステップは、
前記速度値の最大のものを選択するステップと、
前記選択された速度値と現在の速度値との間の差分を決定するステップと、
前記差分が速度変化閾値を超えるか否かを決定するステップと、
前記差分が前記速度変化閾値を超える場合にのみ前記モータ駆動式インペラの前記速度を変えるステップと、
を含む、請求項２９から４３のいずれかに記載のコンピュータに実装された方法。
【請求項４５】
前記差分が速度変化閾値を超えるか否かを決定するステップは、
前記選択された速度値が前記現在の速度値よりも大きいような、前記差分が正の場合に、前記速度変化閾値として第１の速度変化閾値を選択するステップと、
前記選択された速度値が前記現在の速度値よりも小さいような、前記差分が負の場合に、前記速度変化閾値として第２の速度変化閾値を選択するステップと、
を含む、請求項４４に記載のコンピュータに実装された方法。
【請求項４６】
前記速度値の最大のものに基づいて前記モータ駆動式インペラの速度を設定するステップは、
前記モータ駆動式インペラの前記速度の最後の変更からの経過時間が変更頻度閾値を超えるか否かを決定するステップと、
前記経過時間が前記変更頻度閾値を超える場合に、前記選択された速度値に対応する速度を選択して、前記モータ駆動式インペラの前記速度を前記選択された速度に変更するステップと、
前記経過時間が前記変更頻度閾値を超えない場合に、前記モータ駆動式インペラの現在の速度を維持するステップと、
をさらに含む、請求項４４又は４５のいずれかに記載のコンピュータに実装された方法。
【発明の詳細な説明】
【技術分野】
【０００１】
本発明は、ファン組立体、及びモータ駆動式インペラを含むファン組立体を制御するコンピュータに実装された方法に関する。
【背景技術】
【０００２】
従来の家庭用ファンは、一般に、軸周りを回転するように取り付けられた一組のブレード又はベーン、及び一組のブレードを回転させて空気流を発生させる駆動装置を含む。空気流の運動及び循環は、「風速冷却」又は微風をもたらし、結果として熱が対流及び蒸発によって放散される際にユーザは冷却効果を経験する。一般に、ブレードは、全体的にケージの中に位置し、ケージは、ファン使用時にユーザが回転するブレードに接触するのを阻止しながら空気流がハウジング通過するのを可能にする。
【０００３】
米国特許第２，４８８，４６７号には、ファン組立体から空気を放出させるためにケージに収容されたブレードを使用しないファンが記載されている。代わりに、ファン組立体は、空気を引き込むためにモータ駆動式インペラを収容するベース、及びこのベースに連結した一組の同心環状ノズルを備え、環状ノズルの各々は、ノズルの前面に配置されてファンからの空気流を放出するようになった環状出口を備える。各ノズルは、このノズルが周りに延びるボアを規定するボア軸線の周りに延びている。
【０００４】
各ノズルは、エアフォイルの形状であり、従って、エアフォイルは、ノズルの後部に位置する前縁、ノズルの前部に位置する後縁、及び前縁と後縁との間に広がる翼弦線を有すると見なすことができる。米国特許第２，４８８，４６７号では、各ノズルの翼弦線は、ノズルのボア軸線と平行である。空気出口は、翼弦線上に位置し、空気流を翼弦線に沿ってノズルから離れる方向に放出するように配置されている。
【０００５】
ファン組立体から空気を放出するためにケージに収容されたブレードを使用しない他のファン組立体は、国際公開第２０１０／１００４５１号に説明されている。このファン組立体は、その中に主空気流を引き込むためのモータ駆動式インペラを収容する円筒形ベースと、このベースに連結されて環状開口／出口を備える単一の環状ノズルを備え、主空気流は、ファンから環状開口／出口を通過して放出される。ノズルは開口部を定め、ファン組立体の局所環境内の空気は、環状開口から放出された主空気流によってこの開口を通って引き込まれ、主空気流を増幅させる。ノズルはコアンダ面を含み、開口は、主空気流を向かわせるためにコアンダ面上に配置される。コアンダ面は、開口部の中心軸の周りで対称的に延びており、ファン組立体から生じた空気流は、円筒形又は円錐台形状の環状噴流の形態になる。
【０００６】
国際公開第２０１０／０４６６９１号には同様にファン組立体が記載されている。ファン組立体は、その中に主空気流を引き込むためのモータ駆動式インペラを収容する円筒形ベースと、このベースに連結されて環状空気出口を備える環状ノズルを備え、主空気流は、ファンから環状空気出口を通って放出される。ファン組立体は、空気流から粒子状物質を除去するためのフィルタを備える。フィルタは、モータ駆動式インペラの上流側に設けることができ、この場合、粒子状物質は、インペラを通過する前に空気流から除去される。これは、インペラをファン組立体の中に吸い込まれてこれに損傷を与える可能性があるデブリ及びダストをから保護する。もしくは、フィルタは、モータ駆動式インペラの下流側に設けることができる。この構成において、モータ駆動式インペラを通って引き込まれた何らかの排気物質を含む空気を、ファン組立体の構成要素を進行してユーザに供給される前に濾過及び清浄化することができる。
【０００７】
国際公開第２０１６／１２８７３２号には、国際公開第２０１０／１００４５１号及び国際公開２０１０／０４６６９１号に類似したファン組立体が記載されている。ファン組立体は、ファン組立体の中に引き込まれる空気に利用できる面積を最大にするために、ファン本体の全外周の周りに広がる空気入口を備える。従って、ファン組立体は、管状のバレル型フィルタ及び本体に取り外し可能に取り付けられたノズルを備え、このフィルタは、ファン本体上に同心円上に適合して、空気入口の上流側のファン本体の全周を取り囲む。フィルタは、本体又はノズルのいずれにも結合しないが、本体に取り付けられる際にノズルによって所定位置にしっかりと固定され、ノズルを取り外した後にのみファン組立体から取り外すことができる。この構成により、フィルタは、本体に対するノズルの係合によって所定位置にしっかりと固定される前に本体上に単純に落下さることができ、さらに、フィルタは、清浄化又は交換を可能にするためにノズルを取り外した後で本体から簡単に取り外すことができる。
【０００８】
国際公開第２０１０／１００４５１号、国際公開第２０１０／０４６６９１号、及び国際公開第２０１６／１２８７３２号の各々に記載されたファン組立体は、ユーザがファンを動作させることができる複数のユーザ操作可能ボタンを備える。また、国際公開第２０１２／０１７２１９号には、携帯型ファンヒータの形態のファン組立体が説明されており、これは、ユーザがファン組立体の複数の機能を制御するのを可能にする複数のユーザ操作可能ボタンを備え、さらにユーザにファン組立体の温度設定値の可視指示を与える表示装置を備える。同様に英国特許第２５０９１１１号には、ファン組立体を作動させるためのユーザ作動可能スイッチ及びファン組立体の現在の運転設定値を表示するための表示装置の両方を含むユーザインタフェース回路を備えるファン組立体が説明されている。
【先行技術文献】
【特許文献】
【０００９】
【特許文献１】米国特許第２，４８８，４６７号
【特許文献２】国際公開第２０１０／１００４５１号
【特許文献３】国際公開第２０１０／０４６６９１号
【特許文献４】国際公開第２０１６／１２８７３２号
【特許文献５】国際公開第２０１２／０１７２１９号
【特許文献６】英国特許第２５０９１１１号
【発明の概要】
【課題を解決するための手段】
【００１０】
第１の態様によれば、ファン組立体が提供され、ファン組立体は、空気流を生成するように構成されたモータ駆動式インペラと、ファン組立体から空気流を放出するように構成された空気出口と、空気流がファン組立体から放出される前に空気流を浄化するように構成されている少なくとも１つのフィルタ組立体と、複数の空気質特性の各々の値を測定するように構成された複数のセンサと、プロセッサとを備える。プロセッサは、複数のセンサから、複数の空気質特性の各々の測定値を受け取り、測定された空気質特性の各々に関して、測定値がその中に収まる対応する区間セットのうちの１つを特定し、特定された区間に関連する空気質指標値を選択し、選択した空気質指標値を用いて対応する速度値を生成するように構成されている。次に、プロセッサは、速度値の最大のものに基づいてモータ駆動式インペラの速度を設定するように構成されている。
【００１１】
本発明は、現在の空気質に基づいてモータ駆動式インペラの速度を自動的に調節するファン組立体を提供する。詳細には、複数の空気質特性の各々に関して速度値を計算し、次に、これらの速度値の最大のものを使用してモータ駆動式インペラの速度を設定することで、本発明は、この自動調節がこれらの空気質特性のうちのいずれか１つの突然の変化に反応するために必要とされる場合がある最大速度を考慮することを保証する。
【００１２】
ファン組立体は、ファン組立体のユーザに対してデータを提示するように構成された表示装置をさらに備えることができ、プロセッサは、表示装置上に現在の空気質指標値の指標を提示するグラフを生成するようにさらに構成されている。プロセッサは、選択された空気質指標値のうちの最大のものを現在の全体空気質指標値として特定し、表示装置に現在の全体空気質指標値及び多数の先行する全体空気質指標値の時系列プロットを表示させるように構成することができる。
【００１３】
複数の空気質特性は、ＰＭ2.5粒子濃度、ＰＭ10粒子濃度、揮発性有機化合物濃度、二酸化窒素濃度、二酸化硫黄濃度、及びオゾン濃度のいずれかを含むことができる。
【００１４】
複数のセンサは、１又は２以上の粒子状物質センサ及び１又は２以上のガスセンサを含むことができる。１又は２以上の粒子状物質センサは、２．５μｍ以下の直径の粒子濃度を示す値を測定しかつ１０μｍ以下の直径の粒子濃度を示す値を測定するように構成することができる。もしくは、１又は２以上の粒子状物質センサは、２．５μｍ未満の平均空気動力学的直径の粒子濃度を示す値を測定し、かつ１０μｍ未満の平均空気動力学的直径の粒子濃度を示す値を測定するように構成することができる。１又は２以上のガスセンサは、揮発性有機化合物濃度及び二酸化窒素濃度の各々を示す値を測定するように構成することができる。１又は２以上のガスセンサは、還元ガスセンサ及び酸化センサを含むことができる。次に、還元ガスセンサは、揮発性有機化合物濃度を示す値を提供するように構成し、酸化センサは、二酸化窒素濃度を示す値を提供するように構成することができる。
【００１５】
測定値がその中に収まる対応する区間セットの１つを特定するために、プロセッサは、メモリから空気質特性に関連した区間を取得し、空気質特性に関する測定値をセット内の区間と比較するように構成することができる。特定された区間に関連した空気質指標値を選択するために、プロセッサは、メモリから前記特定された区間に関連した空気質指標値を取得するように構成することができる。
【００１６】
選択された空気質指標値を用いて対応する速度値を生成するために、プロセッサは、選択された空気質指標値と目標空気質指標値との間の差分を計算し、計算された差分を用いて対応する速度値を生成するように構成することができる。選択された空気質指標値を用いて対応する速度値を生成するために、プロセッサは、選択された空気質指標値を、対応する速度値を生成するクローズドループ空気質制御器に入力するように構成することができる。次に、クローズドループ空気質制御器は、比例積分コントローラを実装するように構成することができる。
【００１７】
プロセッサは、浮動小数点速度値を生成し、浮動小数点速度値を整数速度値に変換するようにさらに構成うることができ、整数速度値は、モータ駆動式インペラの複数の利用可能な速度のうちの１つに対応する。次に、プロセッサは、モータ駆動式インペラの速度を複数の利用可能な速度のうちの１つに設定するようにさらに構成することができ、複数の利用可能な速度の各々は、整数速度値に関連しており、プロセッサは、整数速度値でカバーされた範囲内の浮動小数点速度値を生成するように構成されている。
【００１８】
モータ駆動式インペラの速度を速度値の最大のものに基づいて設定するために、プロセッサは、速度値の最大のものを選択し、選択された速度値と現在の速度値との間の差分を決定し、差分が速度変化閾値を超えるか否かを決定し、差分が速度変化閾値を超える場合にのみモータ駆動式インペラの速度を変えるように構成することができる。
差分が速度変化閾値を超えるか否かを決定するために、プロセッサは、選択された速度値が現在の速度値よりも大きいような、差分が正の場合、速度変化閾値として第１の速度変化閾値を選択し、選択された速度値が現在の速度値よりも小さいような、差分が負の場合、速度変化閾値として第２の速度変化閾値を選択することができる。
【００１９】
速度値の最大のものに基づいてモータ駆動式インペラの速度を設定するために、プロセッサは、モータ駆動式インペラの速度の最後の変更からの経過時間が変更頻度閾値を超えるか否かを決定するように構成することができる。経過時間が変更頻度閾値を超える場合、プロセッサは、選択された速度値に対応する速度を選択して、モータ駆動式インペラの速度を選択された速度に変更するように構成することができる。経過時間が変更頻度閾値を超えない場合、プロセッサは、モータ駆動式インペラの現在の速度を維持するように構成することができる。
【００２０】
モータ駆動式インペラの最後の変更からの経過時間が変更頻度閾値を超える場合、プロセッサは、選択された速度値と現在の速度値との間の差分を決定するように構成することができる。選択された速度値が現在の速度値よりも大きいような、差分が正の場合、プロセッサは、変更頻度差異閾値として第１の変更頻度閾値を選択するように構成することができる。選択された速度値が現在の速度値よりも小さいような、差分が負の場合、プロセッサは、変更頻度差異閾値として第２の変更頻度閾値を選択するように構成することができる。
【００２１】
ファン組立体は、モータ駆動式インペラによって空気が通過してファン組立体の中に引き込まれる空気入口をさらに備える。次に、少なくとも１つのフィルタ組立体は、空気入口の上に取り付けることができる。ファン組立体は、空気が通過してファン組立体の中に引き込まれかつ複数のセンサに接触する、追加の空気入口を備える。ファン組立体は、ファン本体の上に取り付けられたノズルを備えることができ、モータ駆動式インペラはファン本体の中に収容され、空気出口は、ノズルによって提供され、ノズルは、ファン本体から空気流を受け取り、空気出口から空気流を放出するように構成される。複数のセンサは、ファン本体の中に収容することができ、次に、ファン本体は、空気入口及び追加の空気入口の両方を含むことができる。ノズルは、ファン本体の上端に連結するベースを含むことができ、複数のセンサは、ノズルのベースの中に封入される。次に、ファン本体は空気入口を含むことができ、ノズルのベースは、追加の空気入口を含む。
【００２２】
第２の態様によれば、モータ駆動式インペラを備えるファン組立体を制御するコンピュータに実装された方法が提供される。本方法は、複数のセンサを用いて、複数の空気質特性の各々に関する値を測定するステップと、プロセッサを用いて、測定された空気質特性に関して、測定値がその中に収まる対応する区間セットのうちの１つを特定し、特定された区間に関する空気質指標値を選択して、選択された空気質指標値を用いて対応する速度値を生成するステップと、速度値の最大のものに基づいてモータ駆動式インペラの速度を設定するステップと、を含む。
【００２３】
本方法は、表示装置上に現在の空気質指標値の指標を提示するグラフを生成するステップをさらに含む。次に、本方法は、選択された空気質指標値のうちの最大のものを現在の全体空気質指標値として特定し、表示装置に現在の全体空気質指標値及び多数の先行する全体空気質指標値の時系列プロットを表示させるステップをさらに含む。
【００２４】
複数の空気質特性は、ＰＭ2.5粒子濃度、ＰＭ10粒子濃度、揮発性有機化合物濃度、二酸化窒素濃度、二酸化硫黄濃度、及びオゾン濃度のいずれかを含むことができる。
【００２５】
複数のセンサは、１又は２以上の粒子状物質センサ及び１又は２以上のガスセンサを含むことができる。１又は２以上の粒子状物質センサは、２．５μｍ以下の直径の粒子濃度を示す値を測定しかつ１０μｍ以下の直径の粒子濃度を示す値を測定するように構成することができる。もしくは、１又は２以上の粒子状物質センサは、２．５μｍ未満の平均空気動力学的直径の粒子濃度を示す値を測定し、かつ１０μｍ未満の平均空気動力学的直径の粒子濃度を示す値を測定するように構成することができる。１又は２以上のガスセンサは、揮発性有機化合物濃度及び二酸化窒素濃度の各々を示す値を測定するように構成することができる。
【００２６】
測定値がその中に収まる対応する区間セットの１つを特定するステップは、メモリから空気質特性に関連した区間を取得するステップと、空気質特性に関する測定値をセット内の区間と比較するステップとを含むことができる。特定された区間に関連した空気質指標値を選択するステップは、メモリから特定された区間に関連した空気質指標値を取得するステップを含むことができる。
【００２７】
選択された空気質指標値を用いて対応する速度値を生成するステップは、選択された空気質指標値と目標空気質指標値との間の差分を用いて、対応する速度値を決定するステップを含むことができる。選択された空気質指標値を用いて対応する速度値を生成するステップは、選択された空気質指標値を、対応する速度値を出力するクローズドループ空気質制御器に入力として提供するステップを含むことができる。クローズドループ空気質制御器は、比例積分制御を実行することができる。
【００２８】
本方法は、浮動小数点速度値を生成し、浮動小数点速度値を整数速度値に変換するステップをさらに含むことができ、整数速度値は、モータ駆動式インペラの複数の利用可能な速度のうちの１つに対応する。次に、プロセッサは、モータ駆動式インペラの速度を複数の利用可能な速度のうちの１つに設定するようにさらに構成することができ、複数の利用可能な速度の各々は、整数速度値に関連しており、本方法は、次に、整数速度値でカバーされた範囲内の浮動小数点速度値を生成するステップを含むことができる。
【００２９】
モータ駆動式インペラの速度を速度値の最大のものに基づいて設定するステップは、速度値の最大のものを選択するステップと、選択された速度値と現在の速度値との間の差分を決定するステップと、差分が速度変化閾値を超えるか否かを決定するステップと、差分が速度変化閾値を超える場合にのみモータ駆動式インペラの速度を変えるステップと、を含むことができる。差分が速度変化閾値を超えるか否かを決定するステップは、選択された速度値が現在の速度値よりも大きいような、差分が正の場合に、速度変化閾値として第１の速度変化閾値を選択するステップと、選択された速度値が現在の速度値よりも小さいような、差分が負の場合に、速度変化閾値として第２の速度変化閾値を選択するステップと、をさらに含むことができる。
【００３０】
速度値の最大のものに基づいてモータ駆動式インペラの速度を設定するステップは、モータ駆動式インペラの前記速度の最後の変更からの経過時間が変更頻度閾値を超えるか否かを決定するステップをさらに含むことができる。経過時間が変更頻度閾値を超える場合、本方法は、選択された速度値に対応する速度を選択して、モータ駆動式インペラの速度を選択された速度に変更するステップを含むことができる。経過時間が変更頻度閾値を超えない場合、本方法は、モータ駆動式インペラの現在の速度を維持するステップを含むことができる。
【００３１】
本発明の一実施形態は、例示目的で添付図面を参照して以下に説明する。
【図面の簡単な説明】
【００３２】
【図１】本明細書に記載の方法を実行するのに適したファン組立体の実施形態を概略的に示す。
【図２ａ】本明細書に記載の方法の実施形態を示すフロー図である。
【図２ｂ】本明細書に記載の方法の他の実施形態を示すフロー図である。
【図３ａ】組立体の実施形態の正面図である。
【図３ｂ】図３ａのファン組立体の左側面図である。
【図４】図３ａのラインＡ−Ａに沿った右側断面図である。
【図５】図３ｂのラインＢ−Ｂに沿ったファン組立体のノズルを通る断面図である。
【図６】図４の断面図の一部の拡大図である。
【図７ａ】図３ａ及び３ｂのファン組立体の本体セクションの斜視図である。
【図７ｂ】図３ａ及び３ｂのファン組立体の本体セクションの斜視図である。
【図８ａ】図３ａ及び３ｂのファン組立体のフィルタ組立体の分解組立図である。
【図８ｂ】図８ａのフィルタ組立体と共に使用するのに適した穿孔シュラウドの後面斜視図である。
【図９】図３ａ及び３ｂのファン組立体のノズルの分解組立図である。
【図１０】図３ａ及び３ｂのファン組立体のバルブの後面斜視図である。
【発明を実施するための形態】
【００３３】
以下に現在の空気質に従ってモータ駆動式インペラの速度を自動的に調節するファン組立体を説明する。本明細書で使用する場合、用語「ファン組立体」は、熱的快適性及び／又は環境又は温度制御のために空気流を生成して送給するように構成されたファン組立体、及び詳細には、非制限的に、室内、オフィス内、又は他の家庭環境内での空気の循環及び空気の流れを生成するための家庭用ファンを意味する。このようなファン組立体は、除湿空気流、加湿空気流、浄化空気流、フィルタ処理空気流、冷却空気流、及び加熱空気流のうちの１又は２以上を生成することができる。
【００３４】
図１は、本明細書に記載の方法を実行するのに適したファン組立体の実施形態を概略的に示す。ファン組立体１００は、機械的構成要素、コンピュータハードウェア及びソフトウェアの組み合わせで実施され、空気流を生成するように配置されたモータ駆動式インペラ１１０、ファン組立体１００からの空気流を放出するように配置された空気出口１２０、空気流がファン組立体から放出される前に空気流を浄化するために配置された少なくとも１つのフィルタ組立体１７０、周囲空気の複数の空気質特性／パラメータの各々に関する値を検出／測定するように配置された複数のセンサ１３１−１３３、及びファン組立体１００を制御するように構成されたコンピュータプロセッサ１５０を備える。詳細には、プロセッサ１５０は、複数のセンサ１３１−１３３から受け取った測定値に従ってモータ駆動式インペラの速度を自動的に制御するように構成される。好ましくは、ファン組立体１００は、ファン組立体１００のユーザにデータを提示するように配置された電子表示装置１４０、及び複数のセンサ１３１−１３３から受け取った測定値に基づいて周囲空気の空気質の指標を提示するグラフを電子表示装置１４０上に生成するようにも構成されたプロセッサ１５０をさらに備える。
【００３５】
複数のセンサ１３１−１３３から受け取った測定値に従ってモータ駆動式インペラの速度を自動的に制御するために、プロセッサ１５０は、各測定発生に関して、複数のセンサ１３１−１３３から受け取った測定値の各々を速度値に変換し、次にモータ駆動式インペラの速度をこれらの速度値の最大のものに従って設定する方法を実行するように構成される。図２ａは、このような方法の実施形態を示すフロー図である。本方法によれば、各測定発生に関して、
Ａ１：プロセッサ１５０は、複数のセンサ１３１−１３３から複数の空気質特性の各々に関する測定値を受け取る。
Ａ２：次に、プロセッサ１５０は、複数の空気質特性の各々に関して、その中に測定値が収まる／存在する対応する範囲／区間セットのうちの１つを特定する。
Ａ３：次に、プロセッサ１５０は、複数の空気質特性の各々に関して、特定された範囲／区間に関連する空気質（ＡＱ）指標値を選択する。
Ａ４：次に、プロセッサ１５０は、複数の空気質特性の各々に関して、選択された空気質指標値を用いて速度値を生成する。
Ａ５：次に、プロセッサ１５０は、最大／最高の速度値を選択する。
Ａ６：次に、プロセッサ１５０は、選択された速度値を使用してモータ駆動式インペラの速度を変更する必要があるか否かを決定する。
【００３６】
上述のように、この方法を実行するために、複数の空気質特性の各々は、対応する範囲／区間セットを有し、セット内の各範囲／区間は、異なる空気質指標値に関連している。従って、各空気質特性は、対応する複数の連続する／近接する範囲／区間を有し、対応する１又は複数のセンサで測定した値が、セット内の唯一の範囲／区間の中に収まる／存在することになることを保証し、連続する範囲／区間は、連続する空気質指標値に関連している。例示的に、以下の表は、１つの空気質特性に関する範囲セット及び関連する空気質指標値を示す。
【表１】
2021516307.tif 000003
【００３７】
従って、ファン組立体はメモリ１６０をさらに備えることが好ましく、メモリは、空気質特性の各々に関して、範囲／区間セット及びセット内の範囲／区間に関する関連した空気質指標値を記憶するように構成されている。
【００３８】
随意的に、複数の空気質特性のうちの１又は２以上に関して、空気質特性に対応する範囲／区間セットの大きさは様々とすることができる。この場合、範囲／区間セットのうちの少なくとも１つの大きさは、範囲／区間セットの他のものよりも小さくすることができる。例えば、上記の表において、区間セットの第１のものの大きさは１２であり、区間セットの第２のものの大きさは９であり、区間セットの第３のものの大きさは７などである。
【００３９】
複数のセンサ１３１−１３３で測定した空気質特性は、好ましくは、周囲空気の中に存在する潜在的な大気汚染物質レベルを含む。例えば、これらの空気質特性は、ＰＭ2.5粒子濃度、ＰＭ10粒子濃度、揮発性有機化合物濃度、二酸化窒素濃度、二酸化硫黄濃度、オゾン濃度のうちのいずれかを含むことができる。従って、複数のセンサは、１又は２以上の粒子状物質センサ１３１及び１又は２以上のガスセンサ１３２、１３３を備えることが好ましい。
【００４０】
本明細書で使用される場合、用語「ＰＭ」又は粒子状物質は、大気中に浮遊する凝縮相（固体又は液体）粒子を意味する。用語「ＰＭ2.5」は、微粒子状物質としても知られており、一般に概して２．５μｍ又はそれ以下の直径の粒子を意味しており、用語「ＰＭ10」は、一般に概して１０μｍ又はそれ以下の直径の粒子を意味する。しかしながら、国際標準化機構（ＩＳＯ）は、ＰＭ2.5を２．５μｍ空気動力学的直径で５０％を有効に分離するサイズ選択的入口を通過する粒子として定義し、ＰＭ10を１０μｍで５０％を有効に分離するサイズ選択的入口を通過する粒子として定義する。従って、ＰＭ2.5は、２．５μｍ未満の平均空気動力学的直径を有する粒子を指すために用いられ、ＰＭ10は、１０μｍ未満の平均空気動力学的直径を有する粒子を指すために用いられる。
【００４１】
従って、１又は２以上の粒子状物質センサ１３１は、２．５μｍ以下の直径の粒子の質量濃度を示す値を測定し、かつ２．５から１０μｍの間の直径の粒子の質量濃度を示す値を測定するように構成することができる。もしくは、１又は２以上の粒子状物質センサ１３１は、２．５μｍの平均直径の粒子の質量濃度の各々を示す値を測定し、かつ１０μｍの平均直径の粒子の質量濃度を示す値を測定するように構成することができる。
【００４２】
次に、１又は２以上のガスセンサ１３２、１３３は、揮発性有機化合物濃度及び二酸化窒素濃度の各々を示す値を測定するように構成することができる。加えて、１又は２以上のガスセンサ１３２、１３３は、さらに二酸化硫黄濃度及びオゾン濃度のうちの一方又はそれぞれを示す値を測定するように構成することができる。例えば、１又は２以上のガスセンサ１３２、１３３は、還元ガスセンサ１３２及び酸化ガスセンサ１３３を含むことができる。還元ガスセンサ１３２は、好ましくは、揮発性有機化合物濃度を示す値を提供／出力するように構成することができ、酸化ガス１３３は、好ましくは、二酸化窒素濃度を示す値を提供／出力するように構成することができる。随意的に、ファン組立体は、さらに温度センサ１３４及び湿度センサ１３５のいずれか備えることもできる。
【００４３】
好ましい実施形態において、モータ駆動式インペラ１１０は、複数の所定速度のうちのいずれか１つに設定することができる。換言すると、モータ駆動式インペラ１１０は、複数セットの利用可能な速度設定値のセット数のいずれか１つに設定することができる。この場合、これらの利用可能な速度の各々が対応する速度指標値に関連すること好ましい。従って、これらの速度指標値は、選択可能な異なる速度レベルの範囲を示すスケールを形作る一連の連続値／段階的な値域を備えることができる。例えば、ファン組立体１００は、１０の異なる速度設定値／利用可能速度で設定することができ、その結果、速度指標値は１から１０の整数である。速度指標値「１」は、４，０００から５，０００ｒｐｍの範囲の比較的低いモータ回転速度に対応し、速度指標値「１０」は、６，０００から７，０００ｒｐｍの比較的高いモータ回転速度に対応することができる。
【００４４】
図２ｂは、複数の空気質特性の各々に関する測定値に従ってモータ駆動式インペラ１１０の速度を自動的に制御する方法の特定の実施形態を示すフロー図であり、モータ駆動式インペラ１１０は、各々が対応する速度指標値に関連する複数の所定速度のうちのいずれか１つに設定することができる。この実施形態において、本方法は、各測定発生に関して、以下を含む。
Ｂ１：複数の空気質特性の各々に関する測定値を取得する。
Ｂ２：複数の空気質特性の各々に関して、その中に測定値が収まる／存在する対応する範囲／区間セットのうちの１つを特定する。
Ｂ３：複数の空気質特性の各々に関して、特定された範囲／区間に関連する空気質指標値を選択する。
Ｂ４：複数の空気質特性の各々に関して、選択された空気質指標値を用いて、選択された空気質指標値をクローズドループ空気質制御器に入力することで速度制御値を生成する。このクローズドープ空気質制御器の設定点は目標空気質指標値であり、クローズドループ空気質制御器は速度制御値を出力するように構成される。この関連で、速度制御値は、利用可能な速度指標値によってカバーされる範囲内の数であり、その結果、利用可能な速度指標値のうちの１つを選択するために用いることができる。例えば、利用可能な速度指標値が１から１０までの整数である場合、速度制御値の各々は、１から１０の範囲の浮動小数点数とすることができるので、速度制御値は、浮動小数点の速度制御値を最も近い整数に切り上げる又は切り捨てることで整数の速度指標値のうちの１つを選択するために用いることができる。クローズドループ空気質制御器は、選択された空気質指標値と目標空気質指標値との間の差分を計算して、この計算された差分を用いて速度制御値を決定することができる。好ましくは、クローズドループ空気質制御器は、比例積分制御を実行するように構成される。
Ｂ５：最大の速度制御値を選択する。
Ｂ６：選択された速度制御値と現在の速度指標値との間の差分が、速度変化閾値を超えているか否かを決定する。好ましくは、このステップは、選択された速度制御値が現在の速度指標値よりも大きいか又は小さいか否かによって（すなわち、選択された速度制御値が速度の増加又は減少が望ましいことを示すかどうかによって）、異なる速度変化閾値を適用することを含む。この場合、このステップは、以下をさらに含む。
ａ．差分が、選択された速度制御値が現在の速度指標値よりも大きいことを示す場合、適切な速度変化閾値として第１の速度変化閾値を選択する。
ｂ．差分が、選択された速度制御値が現在の速度指標値よりも小さいことを示す場合、適切な速度変化閾値として第２の速度変化閾値を選択する。
第１の速度変化閾値は、第２の速度変化閾値とは異なることができる。例えば、第１の速度変化閾値は０．２に設定することができるが、第２の速度変化閾値は０．５に設定される。後続のステップにおいて、モータ駆動式インペラの速度は、差分が適用可能な速度変化閾値を超える場合のみ変更される。この実施例において、このことは、適用可能な速度変化閾値を超えたか否かに基づいて目標速度制御値を設定することで実現される。
Ｂ７：差分が適用可能な速度変化閾値を超えた場合、選択された速度制御値が目標速度制御値として設定される。
Ｂ８：差分が適用可能な速度変化閾値を超えない場合、目標速度制御値が現在の速度指標値に設定される。目標速度制御値を現在の速度指標値に設定することで、後続処理は、モータ駆動式インペラの速度を変化させないことになる。
Ｂ９：次に、目標速度制御値は、目標速度指標値を選択するために用いられる。上述のように、速度制御値は、利用可能な速度指標値によってカバーされた範囲内の数であり、従って、利用可能な速度指標値のうちの１つを選択するために用いることができる。例えば、目標速度制御値が浮動小数点数の場合、目標速度制御値は、浮動小数点の速度制御値を最も近い整数に切り上げる又は切り捨てることで整数の速度指標値のうちの１つを選択するために用いることができる。
Ｂ１０：モータ駆動式インペラ速度の最後の変化からの経過時間が変更頻度閾値を超えたかどうかを決定する。好ましくは、このステップは、目標速度指標値が現在の速度指標値よりも大きいか又は小さいか否かによって（すなわち、選択された速度制御値が、速度の増加又は減少が推奨されることを示すか否かによって）異なる変更頻度閾値を適用することを含む。この場合、このステップは、以下をさらに含む。
ａ．差分が正の場合（目標速度指標値が現在の速度指標値よりも大きい）、適用可能な変更頻度差異閾値として第１の変更頻度閾値を選択する。
ｂ．差分が負の場合（目標速度指標値が現在の速度指標値よりも小さい）、適用可能な変更頻度差異閾値として第２の変更頻度閾値を選択する。
第１の変更頻度差異閾値は第２の変更頻度差異閾値とは異なることができる。例えば、第１の変更頻度差異閾値は１秒（すなわち、変更頻度は１ヘルツ）に設定することができるが、第２の変更頻度差異閾値は１分（すなわち、変更頻度は０．０１６ヘルツ）に設定することができる。後続のステップにおいて、モータ駆動式インペラの速度は、差分が適用可能な変更頻度閾値を超えた場合にのみ変更される。
Ｂ１１：経過時間が適用可能な変更頻度閾値を超える場合、目標速度指標値に対応する速度を選択し、モータ駆動式インペラの速度を選択した速度に変更する。次に、この変更が行われた時間は、ステップＢ１０の後続発生で用いるために記憶される。
Ｂ１２：経過時間が変更頻度閾値を超えない場合、現在のモータ駆動式インペラ速度を維持する。
【００４５】
加えて、電子表示装置１４０上に空気質の指標を提示するグラフを生成するために、プロセッサ１５０は、ある方法を実行するように構成することもでき、この方法では、各測定発生に関して、複数のセンサ１３１−１３３から受け取った測定値の各々は空気質（ＡＱ）指標値に変換され、次に、これらの空気質指標値の最大のものが現在の全体空気質指標値として特定される。これに関して、全体空気質指標値は、現在の空気質を示すと見なされものであり、従って、全体空気質指標値は、主要又は代表的空気質指標値と呼ぶことができる。次に、プロセッサ１５０は、電子表示装置１４０に現在の全体空気質指標値の時系列プロット及び多数の先行する全体空気質指標値を表示させる命令を生成することができる。
【００４６】
電子表示装置１４０に現在の全体空気質指標値の時系列プロット及び多数の先行する全体空気質指標値を表示させるために、プロセッサ１５０は、先行する全体空気質指標値及び現在の全体空気質指標値の各々に関して、表示装置１４０上に時系列プロット内の全体空気質指標値を示すセグメント、セクション、又はポイントを生成するように構成することができる。例えば、電子表示装置１４０上のセグメント、セクション、又はポイントは、対応する全体空気質指標値を示す時系列プロットの一部を形成する表示装置１４０の１又は２以上のピクセルを含むことができる。
【００４７】
好ましくは、プロセッサ１５０は、１０ヘルツ以下の頻度で、好ましくは１ヘルツ以下の頻度で、表示装置に現在の全体空気質指標値及び多数の先行する全体空気質指標値の時系列プロットを表示させるステップを反復／実行するように構成することができる。その結果、複数のセンサ１３１−１３３は、１０ヘルツ以下の頻度で、好ましくは１ヘルツ以下の頻度で、複数の空気質特性の各々の値の測定を反復／実行するように構成されることが好ましい。
【００４８】
上述のように、ファン組立体は、空気流がファン組立体から放出される前に空気流を浄化するように配置された少なくとも１つのフィルタ組立体を備える。従って、ファン組立体は、空気浄化ファン組立体と呼ぶことができる。好ましくは、ファン組立体は、空気入口をさらに備え、空気は、モータ駆動式インペラによって空気入口を通ってファン組立体に引き込まれ、少なくとも１つのフィルタ組立体は、空気入口の上に取り付けられている。また、ファン組立体は、別個の追加的な空気入口を備えることもでき、空気はこの空気入口を通ってファン組立体の中に引き込まれ、複数のセンサと接触する。
【００４９】
従って、図３ａから１０は、自立型の空気浄化ファン組立体１０００の実施形態を示す。図３ａ及び３ｂはファン組立体１０００の外観図であり、図４及び５は、それぞれ図３ａ及び３ｂのラインＡ−Ａ及びＢ−Ｂの断面図を示す。次に、図６は、ファン組立体１０００の本体１１００の拡大断面図を示す。
【００５０】
ファン組立体１０００は、主空気流がそこを通って流入する空気入口１１１０を備える本体又はスタンド１１００と、空気入口１１１０を覆って本体１１００上に取り付けられた少なくとも１つの取り外し可能な浄化／フィルタ組立体１２００と、主空気流が通過して本体１１００から出る通気口／開口１１１５に取り付けられたノズル１３００とを備える。
【００５１】
例示の実施形態において、ノズル１３００は、ファン組立体１０００から主空気流を放出するための第１の空気出口１３１０、ファン組立体１０００から主空気流を放出するための第２の空気出口１３２０、及びバルブ１４００を備え、バルブ１４００は、バルブ１４００のバルブ部材１４１０の位置に基づいて主空気流を第１の空気出口１３１０及び第２の空気出口１３２０の一方又は両方に向かわせるように配置される。
【００５２】
ノズル１３００は、空気をノズル１３０の空気入口１３４０から第１の空気出口１３１０及び第２の空気出口１３２０の一方又は両方に運ぶための内部通路１３３０を備える。また、ノズル１３００は、中央／内側開口部／ボア１５００を定め、ここを通ってファン組立体１０００の外側からの空気は、第１の出口１３１０から放出された主空気流によって引き込まれ、この空気は放出された空気流と結合して増幅空気流を生じる。従って、ノズル１３００は、ボア１５００の周りに広がりこれを取り囲むループを形成する。
【００５３】
ノズル１３００の第２の空気出口１３２０は、内部通路１３３０から空気流を受け取り、ノズル１３００によって定められた開口部／ボア１５００を通ってファン組立体の外部から空気を引き込むことなく、この空気流を放出するように配置され、これにより非増幅空気流が生じる。例示の実施形態において、第２の空気出口１３２０は、放出される空気流を、該放出される空気流がファン組立体１０００から離れて実質的に放射／開出するように向かわせる。特に、第２の空気出口１３２０は、放出される空気流を、該放出される空気流がノズル１３００によって定められた開口部／ボア１５００の中心軸線（Ｘ）から離れて実質的に放射／開出するように、すなわち、ノズル１３００によって定められた開口部／ボア１５００の中心軸線（Ｘ）から離れて３０°と１５０°の間の角度をなして放射／開出するように向かわせる。好ましくは、第２の空気出口１３２０は、非増幅空気流を、ノズル１３００によって構成された開口部ボア１５００の中心軸線（Ｘ）から離れて実質的に垂直に、すなわち、ノズル１３００によって構成された開口部ボア１５００の中心軸線（Ｘ）から離れて４５°から１４５°の角度をなして、より好ましくは、ノズル１３００によって定められた開口部ボア１５００の中心軸線（Ｘ）から離れて７０°から１１０°の角度をなして向かわせるように配置される。従って、第２の空気出口１３２０は、ボア１５００を通して空気が引き込まれる方向と実質的に垂直な方向に非増幅空気流を向かわせるように配置されることになる。
【００５４】
図４及び図６に示されているように、本体１１００は、実質的に円筒形の下側本体部分１１３０上に取り付けられた実質的に円筒形の主本体部分１１２０を含む。主本体部分１１２０は、下側本体部分１１３０よりも小さい外径を有する。主本体部分１１２０は、主本体部分１１２０の下端から離れて半径方向／垂直方向に延びる下側環状フランジ１１２１を有する。下側環状フランジ１１２１の外縁は、下側主本体部分１１２０の外面と実質的に面一である。次に、取り外し可能な浄化／フィルタ組立体１２００は、主本体部分１１２０上に取り付けられ、主本体部分１１２０の下側環状フランジ１１２１上に載る。主本体部分１１２０は、主本体部分１１２０の反対側の上端から離れて半径方向／垂直方向に延びる上側環状フランジ１１２２をさらに含む。次に、上側環状フランジ１１２２の外縁は、主本体部分１１２０の上端に連結するノズル１３００のベース／ネック１３５０の外面と実質的に面一である。
【００５５】
ファン組立体１０００は、主本体部分１１２０の２つの対向する半部上に位置してこれらの半部を覆うように構成されている２つの別個の浄化組立体１２００ａ、１２００ｂを含む。従って、各浄化組立体１２００は、主本体部分１１２０上に同心状に位置することができ、主本体部分１１２０の下側環状フランジ１１２１上に載る半シリンダ／管の形状を実質的に有する。従って、図７ａは、浄化組立体の一方１２００ａが取り外され、浄化組立体の他方１２００ｂが主本体部分１１２０の遠い側上に取り付けられている主本体部分１１２０を示している。
【００５６】
図８ａは、図３ａから７ｂのファン組立体と共に使用されるのに適したフィルタ組立体１２００の１つの実施形態の分解図を示している。この実施形態では、各フィルタ組立体１２００は、１又は２以上のフィルタ媒体を支持するフィルタフレーム１２１０を含む。各フィルタフレーム１２１０は、フィルタフレーム１２１０の長手方向軸線と平行である２つの直線状側面、及びフィルタフレーム１２１０の長手方向軸線と垂直である２つの湾曲した端を備える半シリンダの形状を実質的に有する。１又は２以上のフィルタ媒体は、フィルタフレーム１２１０によって定められた表面領域を覆うように配置されている。
【００５７】
フィルタフレーム１２１０は、フィルタフレーム１２１０の第１の湾曲した端から離れて半径方向／垂直方向に延びる第１の端フランジ１２１１、及びフィルタフレーム１２１０の反対側の第２の湾曲した端から離れて半径方向／垂直方向に延びる第２の端フランジ１２１２を備える。次にまた、各フィルタフレーム１２１０は、フィルタフレーム１２１０の第１の側から、第１の端フランジ１２１１の第１の端から離れて第２の端フランジ１２１２の第１の端まで延びる第１の側方フランジ１２１３、及びフィルタフレーム１２１０の第２の側から、第１の端フランジ１２１１の第２の端から離れて第２の端フランジ１２１２の第２の端まで延びる第２の側方フランジ１２１４を備える。第１の端フランジ１２１１、第２の端フランジ１２１２、第１の側方フランジ１２１３、及び第２の側方フランジ１２１４は、互いに一体的に形成され、それによって、フィルタフレーム１２１０の全周のまわりに延びるリッジ又はリムを形成する。フランジ１２１１−１２１４は、フィルタ媒体を封止することができる（例えば、フィルタ１２１０の下流側で接着剤を使用して）面を提供し、また、フィルタフレーム１２１０が、空気がフィルタ媒体を通過することなくファン本体１１００の内外に漏れるのを防止するように、主本体１１２０と封止部を形成するのを可能にする面を提供する。
【００５８】
各フィルタ組立体１２００は、空気がフィルタ組立体１２００の縁のまわりで主本体部分１１２０の空気入口１１１０に通過するのを防止するように主本体部分１１２０と係合するためにフィルタフレーム１２１０の内周の全体のまわりに設けられた可撓性シール１２３０をさらに含む。可撓性シール１２３０は、好ましくは、円弧形状ワイパ又はリップの形態を実質的に取る下側湾曲シール部分及び上側湾曲シール部分を含み、下側湾曲シール部分の各端は、各々がワイパ又はリップの形態を実質的に取る２つの直線状シール部分によって上側湾曲シール部分の対応する端に連結されている。従って、上側湾曲シール部分及び下側湾曲シール部分は、主本体部分１１２０の湾曲した上端及び下端に接触するように配置されているのに対して、直線状シール部分は、主本体部分１１２０から離れて垂直方向に延びる２つの直径方向に対向した長手方向フランジ１１２３ａ、１１２３ｂの一方又は他方に接触するように配置されている。好ましくは、フィルタフレーム１２１０は、フィルタフレーム１２１０の内周の全体のまわりに延び、シール１２３０を受け入れて支持するように配置される凹部（図示せず）を備える。例示の実施形態において、この凹部は、第１の側方フランジ１２１３及び第２の側方フランジ１２１４の両方の内面、及びフィルタフレーム１２１０の第１の端及び第２の端の両方の内縁を横切って延びる。
【００５９】
次に、１又は２以上のフィルタ媒体１２２１、１２２２は、第１及び第２のフランジ１２１１、１２１２と第１及び第２の側方フランジとの間の領域を横切って延びる凸形の外面上に支持される。例示されている実施形態では、各フィルタ組立体１２００ａ、１２００ｂは、フィルタフレーム１２１０の外面上に取り付けられた外側メッシュ層１２２２で覆われた粒子フィルタ媒体層１２２１を含む。随意的に、１又は２以上の別のフィルタ媒体が、次に、フィルタフレーム１２１０の凹形の内面内に位置することができる。例えば、これらの別のフィルタ媒体は、第２の化学的フィルタ媒体層によって覆われた第１の化学的フィルタ媒体層を含むことができ、第１の化学的フィルタ媒体層及び第２の化学的フィルタ媒体層は共にフィルタフレーム１２１０の内面内に位置する。これらの別のフィルタ媒体は、フィルタフレーム１２１０の凹形の内面に取り付けらること及び／又は支持することができ、代替的には、主本体部分１１２０上に取り付けられ、各フィルタ組立体１２００ａ、１２００ｂの下で主本部分１１２０の下側環状フランジ１１１１上に載ることができる。いずれの場合においても、フィルタフレーム１２１０は、フィルタフレーム１２１０の凹形の内面内に空間を定めるように形成されることになり、フィルタフレーム１２１０の凹形の内面内で、これらのフィルタ媒体は、フィルタ組立体１２００が主本体部分１１２０上に取り付けられる場合に、フィルタフレーム１２１０の凹形の内面内に収容することができる。
【００６０】
図７ａに示されているように、実質的に半シリンダの形状である穿孔シュラウド１２４０が、次に、主本体部分１１２０上に配置されるときに、浄化組立体１２００を覆うようにフィルタフレーム１２１０に同心状に取り付けられる。図８ｂは、図３ａから７ｂのファン組立体と共に使用されるのに適した穿孔シュラウド１２４０の背面斜視図を示している。穿孔シュラウド１２４０は各々、ファン１０００の使用に際して浄化組立体１２００の空気入口として機能する孔の配列を含む。代替的に、シュラウド１２４０の空気入口１２４１は、シュラウドに設けられた窓内に取り付けられた１又は２以上のグリル又はメッシュを含むことができる。本発明の範囲内で、空気入口の配列の代替的なパターンが考えられることも明らかであろう。シュラウド１２４０は、例えば運搬中に、フィルタ媒体１２２１−１２２４を損傷から保護し、また、ファン組立体１２００の全体的な外観と相俟って、浄化組立体１２００のために視覚的に魅力的な外面を提供する。シュラウド１２４０は  浄化組立体１２００の空気入口１２４１を定めるので、孔の配列は、より大きな粒子が浄化組立体１２００に入り、フィルタ媒体１２２１−１２２４を詰まらせるか、さもなければ損傷を与えるのを防ぐサイズである。
【００６１】
主本体部分１１２０は、ファン組立体１０００の種々の構成要素を収容する穿孔ハウジング１１２４を含む。穿孔ハウジング１１２４は、ファン組立体１０００の本体１１００の空気入口１１１０として機能する孔の配列を含む。次に、浄化組立体は、インペラ１１１０によって主本体部分１２００内に引き込まれた空気が、主本体部分１２００に入る前にフィルタ処理されるように、主本体部分１２００の空気入口１１１０の上流側に配置される。これは、ファン組立体１０００に潜在的に損傷を生じさせ得る何らかの粒子を除去するのに役立ち、また、ノズル１３００から放出された空気が粒子状物質を含まないことを保証する。加えて、これは、潜在的に健康に危険を引き起こす可能性がある種々の化学物質を除去し、それによって、ノズルから放出される空気が浄化される。この実施形態では、空気入口１１１０は、主本体部分１１２０に形成された孔の配列を含む。代替的に、空気入口１１１０は、主本体部分１１２０に形成された窓内に取り付けられた１又は２以上のグリル又はメッシュを含むことができる。主本体部分１１２０は、主空気流を本体１１００から排出させる空気ベント／開口部１１１５を収容するように前端が開放している。
【００６２】
下側本体部分１１３０は、主本体部分１１２０内に収容された構成要素以外のファン組立体の構成要素を収容する別のハウジングを備える。下側本体部分１１３０は、ファン組立体１０００が配置される面に係合するためのベース１１４０上に取り付けられている。特に、ベース１１４０は、面上に配置される場合にファン組立体１０００を支持し、ノズル１３００は、ベース１１４０に対して最上部にある。下側本体部分１１３０は、パンピニオン（図示せず）によって係合されるパン駆動ギア（図示せず）を収容する。パンピニオンは、主本体部分１１２０の底部内に収容された振動モータ１１６０によって駆動される。従って、振動モータ１１６０によるパンピニオンの回転は、下側本体部分１１３０に対して主本体部分１１２０を回転させる。ファン組立体１０００に電力を供給するための主電力ケーブル（図示せず）が、下側本体部分１１３０に形成された孔１１３１を通って延びる。次に、ケーブルの外部端は、主電源に接続するためのプラグに接続される。
【００６３】
主本体部分１１２０は、主空気流がファン組立体１０００から放出される方向を調節するために下側本体部分１１３０に対して傾斜することができる。例えば、下側本体部分１１３０の上面１１３２及び主本体部分１１２０の下面１１２５は、主本体部分１１２０が下側本体部分１１３０から持ち上げられるのを防止しながら、主本体部分１１２０が下側本体部分１１３０に対して移動するのを可能にする相互連結特徴部を備えることができる。例えば、下側本体部分１１３０及び主本体部分１１２０は、相互係止Ｌ字形部材を備えることができる。この実施形態では、下側本体部分１１３０の上面１１３２は凹形であり、主本体部分１１２０の下面１１２５は対応するように凸形である。従って、主本体部分１１２０が下側本体部分に対して傾けられる場合、２つの面の少なくとも一部は、互いに隣接したままとすることができ、相互連結特徴部は、少なくとも部分的に連結したままとすることができる。
【００６４】
上述したように、主本体部分１１２０は、下側本体部分１１３０内でパン駆動ギアと係合されるパンピニオンを駆動する振動モータ１１６０を収容する。図６に示されている例示の実施形態では、振動モータ１１６０は、主本体部分の凸形の下面１１２５に隣接して、主本体部分１１２０の底部内に収容される。振動モータ１２６０と共に、パンピニオン及びパン駆動ギアは、下側本体部分１１３０に対して主本体部分１２０を振動させるための振動機構を提供する。この振動機構は、ユーザによって与えられる制御入力に応答してファン組立体１０００の主制御回路１１７０によって制御される。
【００６５】
主電源ケーブルは、下側本体部分１１３０を通過し、次に、主電源ケーブルの内部端は、主本体部分１１２０の底部に面して収容された主電源ユニット１１８０に接続される。この実施形態では、主電源ユニット１１８０は、振動モータ１１６０の上方に固定された電源マウント１１８１上に取り付けられている。次に、電源カバー１１８２が、主電源ユニット１１８０を包囲して保護するように主電源ユニット１１８０を覆って位置決めされる。この実施形態では、主電源カバー１１８２は実質的にドーム形であり、空気入口１１１０を通ってファン組立体１０００に入る主空気流の何らかの妨害を最小にし、かつ、主空気流を案内するのを助けるようになっている。随意的に、主電源ユニット１１８０から発生した熱の放散を助けるために、主電源カバー１１８２の上面上にシートシンク（図示せず）を設けることができる。主電源ユニット１１８２の上面上にヒートシンクを取り付けることによって、シートシンクは、空気入口１１１０を通って本体１１００に入る主空気流の経路内に配置され、主空気流は、主電源ユニット１１８０から発生した熱の放散をさらに助けることになる。
【００６６】
主本体部分１１２０は、主空気流を、空気入口１１１０を通じて本体１１００内に引き込むためのインペラ１１５０を収容する。好ましくは、インペラ１１５０は、混成流インペラの形態である。インペラ１１５０は、モータ１１５２から外方に延びる回転シャフト１１５１に連結されている。図６に示されている実施形態では、モータ１１５２は、ユーザによって与えられる制御入力に応答して主制御回路１１７０によって速度が可変であるＤＣブラシレスモータである。モータ１１５２は、下側部分１１５３ｂに連結された上側部分１１５３ａを含むモータバケット１１５３内に収容されている。モータバケットの上側部分１１５３ａは、湾曲ブレードを有する環状ディスクの形態のディフューザ１１５３ｃをさらに含む。
【００６７】
モータバケット１１５３は、主本体部分１１２０内に取り付けられたインペラハウジング１１５４内に配置され、このインペラハウジング１１５４上に取り付けられている。インペラハウジング１１５４は、略截頭円錐形インペラ壁１１５４ａと、インペラ壁１１５４ａ内に配置されたインペラシュラウド１１５４ｂとを含む。インペラ１１５０、インペラ壁１１５４ａ、及びインペラシュラウド１１５４ｂは、インペラ１１５０が、インペラシュラウドシュラウド１１５４ｂに近接しているが、これに接触しないように形作られている。次に、実質的に環状の入口部材１１５５は、インペラハウジング１１５４内に主空気流を案内するためにインペラハウジング１１５４に連結される。例示の実施形態において、図４、６、７ａ、及び７ｂに示すように、本体１１００から排出される主空気流が通る通気口／開口部１１１５は、モータブラケット１１５３ａの上部及びインペラ壁１１５４ａによって定められる。
【００６８】
可撓性封止部材１１５６が、インペラハウジング１１５４と主本体部分１１２０との間に取り付けられている。可撓性封止部材１１５６は、空気がインペラハウジング１１５４の外面のまわりで入口部材１１５５に通過するのを防止する。好ましくは、封止部材１１５６は、好ましくはゴムで形成された環状リップシールを含む。
【００６９】
上述したように、ノズル１３００は、主空気流が本体１１００を出ていく空気ベント１１１５の上方で主本体部分１１２０の上端上に取り付けられている。ノズル１３００は、主本体部分１１２０の上端に連結し、本体１１００から主空気流を受け入れるための空気入口１３４０を提供する開放した下端を有するネック／ベース１３５０を含む。ノズル１３００の空気入口１３４０は、ノズル１３００のベース１３５０の略下端の中に配置された円形開口部で提供される。ノズル１３００の空気入口１３４０は、主本体部分１１２０の空気ベント１１１５と整列し、空気ベント１１１５は、主本体部分１１２０の略上端に配置された円形開口部によって提供される。
【００７０】
図３ａ、３ｂ、４、及び６に示すように、ノズル１３００のベース１３５０は、ベース１３５０の該ベース１３５０が主本体部分１１２０に取り付けられる下端からベース１３５０の上端に向かって内向きにテーパ付けされた外面を有する。次に、ベース１３５０の下端において、ノズル１３００のベース１３５０の外面は、主本体部分１１２０の上側環状フランジ１１２２の外縁と実質的に面一である。従って、ベース１３５０は、主本体部分１１２０の上面１１２１上に設けられているファン組立体１０００の任意の構成要素を覆う／包囲するハウジングを含む。
【００７１】
図６および７ｂに示されている実施形態では、主制御回路１１７０は、主本体部分１１２０の上端から離れて半径方向に延びる上側環状フランジ１１２１の上面上に取り付けられている。従って、主制御回路１１７０は、ノズル１３００のベース１３５０内に収容されている。主制御回路１１７０は、プロセッサ及びメモリを備える。メモリは、プロセッサが実行する種々のプログラム／アルゴリズム、及び／又は何らかの他の利用できるデータを記憶するように構成されている。例えば、メモリが記憶するデータは、空気質特性の各々に関する、範囲／区間セット及びセット内の範囲／区間に関する関連した空気質指標値を含むことができる。また、メモリが記憶するデータは、モータ駆動式インペラの複数の異なる速度設定値／利用可能な速度及び関連の速度指標値、並びに目標空気質指標値などのクローズドループ空気質制御器で用いる係数及び／又は固定入力値（ｆｉｘｅｄ  ｉｎｐｕｔｓ）を含むこともできる。次に、プロセッサは、上述の方法を実行するのに必要な処理を行うように構成される。
【００７２】
加えて、電子表示装置１１８０は、主本体部分１１２０の上側環状フランジ１１２２上に取り付けられており、従ってノズル１３００のベース１３５０の中に収容されており、表示装置１１８０は、ベース１３５０に設けられた開口又は少なくとも部分的に透明な窓１３５１を通して目に見える。例えば、電子表示装置１１８０は、上側環状フランジ１１２２上に取り付けられてベース１３５０に設けられた透明窓１３５１に整列されたＬＣＤ表示装置で提供することができる。電子表示装置１１８０は、ファン組立体１０００のユーザに対してデータを提示するよう構成されかつ主制御回路１１７０に接続されるので、プロセッサは、電子表示装置１１８０上に周囲空気の空気質の指標を提示するグラフを生成することができる。
【００７３】
加えて、複数のセンサ１１９１、１１９２は、上側環状フランジ１１２２の上面上に取り付けられており、結果的にノズル１３００のベース１３５０の中に収容されている。これらのセンサ１１９１、１１９２は、周囲空気の複数の空気質特性の各々に関する値を検出／測定するように、及び主制御回路１１７０によって提供されるプロセッサに測定値を送るように構成される。詳細には、これらのセンサ１１９１、１１９２は、主制御回路１１７０に接続した１又は２以上の粒子状物質センサ１１９１及び１又は２以上のガスセンサ１１９２を含む。従って、ノズル１３００のベース１３５０は、１又は２以上の空気入口１３５２を備え、周囲空気は、この空気入口１３５２を通ってファン組立体１０００に引き込まれ、複数のセンサ１１９１、１１９２に接触する。
【００７４】
また、１又は２以上の追加の電子構成要素１１９３は、上側環状フランジ１１２２の上面上に取り付けることができ、結果的にノズル１３００のベース１３５０の中に収容されている。これらの追加の電子構成要素１１９３は、Ｗｉ−Ｆｉ  Ｂｌｕｅｔｏｏｔｈ（登録商標）等のような１又は２以上のワイヤレス通信モジュール、及び赤外線センサ、温度センサ、湿度センサ等のような１又は２以上の追加のセンサ、及び何らかの関連した電子機器をさらに備えることができる。次に、このような何らかの追加の電子構成要素は、主制御回路１１７０に接続されることになる。
【００７５】
例示の実施形態において、ノズル１３００は、スタジアム形状と呼ばれる場合がある細長い管状の形状を有し、その幅よりも大きい高さを有する細長い開口部１５００を定める。従って、ノズル１３００は、各々が開口部１５００のそれぞれの細長い側部に隣接している２つの比較的直線状の部分１３０１、１３０２、２つの比較的直線状の部分１３０１、１３０２の上端を接合する上側湾曲部分１３０３、及び２つの比較的直線状の部分１３０１、１３０２の下端を接合する下側湾曲部分１３０４を含む。
【００７６】
従って、ノズル１３００は、細長い環状内側ケーシング部分１３７０と同心状であり、この細長い環状内側ケーシング部分１３７０のまわりに延びる細長い環状外側ケーシング部分１３６０を含む。この実施例では、内側ケーシング部分１３７０と外側ケーシング部分１３６０は、別体の構成要素である。しかしながら、これらは、単一部品として一体的に形成することができる。また、ノズル１３００は、ノズル１３００の後部を形成する湾曲した後側ケーシング部分１３８０を有し、湾曲した後側ケーシング部分１３８０の内端は、内側ケーシング部分１３７０の後端に連結されている。この実施例では、内側ケーシング部分１３７０及び湾曲した後側ケーシング部分１３８０は、例えば、ねじ及び／又は接着剤を使用して、互いに連結された別体の構成要素である。しかしながら、これらは、同様に単一部品として一体的に形成することができる。湾曲した後側ケーシング部分１３８０は、ノズル１３００の内側ボア１５００の中心軸線（Ｘ）と垂直な略細長い環状横断面、及びノズル１３００の内側ボア１５００の中心軸線（Ｘ）と平行な略半円形横断面を有する。
【００７７】
内側ケーシング部分１３７０は、ノズル１３００の内側ボア１５００の中心軸線（Ｘ）と垂直な略細長い環状横断面を有し、ノズル１３００の内側ボア１５００のまわりに延び、ノズル１３００の内側ボア１５００を取り囲む。この実施例では、内側ケーシング部分１３７０は、後側部分１３７１及び前側部分１３７２を有する。後側部分１３７１は、内側ボア１５００の中心軸線（Ｘ）から離れて内側ケーシング１３７０の後端から外向きに角度をなしている。また、前側部分１３７２は、内側ボア１５００の中心軸線（Ｘ）から離れて内側ケーシング１３７０の後端から外向きに角度をなしているが、その角度は、後側部分１３７１の角度よりも大きい。従って、内側ケーシング部分１３７０の前側部分１３７２は、外側ケーシング１３６０の前端に向かってテーパ付けされているが、外側ケーシング部分１３６０の前端とは出会わず、内側ケーシング部分１３７０の前端と外側ケーシング部分１３６０の前端との間の空間は、ノズル１３００の第１の空気出口１３１０を形成するスロットを定める。
【００７８】
次に、外側ケーシング部分１３６０は、ノズル１３００の前部から、湾曲した後側ケーシング部分１３８０に向かって延びるが、湾曲した後側ケーシング部分１３８０とは出会わず、外側ケーシング部分１３６０の後端と湾曲した後側ケーシング部分１３８０の後端との間の空間は、ノズル１３００の第２の空気出口１３２０を形成するスロットを定める。
【００７９】
従って、外側ケーシング部分１３６０、内側ケーシング部分１３７０、及び湾曲した後側ケーシング部分１３８０は、ノズル１３００の空気入口１３４０から第１の空気出口１３１０及び第２の空気出口１３８０の一方又は両方に空気を搬送するための内部通路を定める。換言すると、内部通路１３３０は、外側ケーシング部分１３６０、内側ケーシング部分１３７０、及び湾曲した後側ケーシング部分１３８０の内面によって境界決めされている。内部通路１３３０は、空気入口１３４０を通じてノズル１３００に入る空気が、ノズル１３００の下側湾曲部分１３０４に入り、各々がノズル１３００の直線状部分１３０１、１３０２のそれぞれの１つの中に流れる２つの空気流れに分割されることになるときに、ボア１５００のまわりで各々が反対方向に延びる第１の部分及び第２の部分を含むと見なすことができる。
【００８０】
ノズル１３００は、ノズル１３００の内部通路１３３０の湾曲部分から空気の漏れが実質的にないように、各々がノズル１３００の頂部湾曲部分１３０３及び底部湾曲部分１３０４において外側ケーシング部分１３６０と内側ケーシング部分１３７０の間でシールを形成するための２つの湾曲したシール部材１３６５をさらに含む。従って、ノズル１３００は、各々が中央ボア１５００のそれぞれの細長い側部に位置する２つの細長い第１の空気出口１３１０ａ、１３１０ｂを含む。従って、この実施形態では、ノズル１３００は、ノズル１３００の前部に向かってノズル１３００及び／又は開口部１５００の反対側の細長い側部に位置する主空気流を放出するための一対の第１の空気出口１３１０ａ、１３１０ｂを備える。
【００８１】
次に、ノズル１３００は、内部通路１３３０内に、各々が一対の第１の空気出口１３１０ａ、１３１０ｂのそれぞれの１つに隣接している一対のヒータ組立体１３９０ａ、１３９０ｂをさらに含む。各ヒータ組立体１３９０ａ、１３９０ｂは、フレーム１３９２内に支持された複数のヒータ要素１３９１を含み、次に、フレーム１３９２は、それぞれの第１の空気出口１３１０ａ、１３１０ｂに隣接してノズル１３００の内部通路１３３０内に取り付けられている。従って、各々のヒータ組立体１３９０ａ、１３９０ｂのフレーム１３９２は、内部通路１３３０内に取り付けられた場合に、に空気流をヒータ要素１３９１を通して、対応する第１の空気出口１３１０ａ、１３１０ｂから外へ向かわせるように配置されている。そうするために、ヒータ要素１３９１と対応する第１の空気出口１３１０ａ、１３１０ｂの間にあるフレーム１３９２の部分は、空気出口に向かってテーパ付けされており、フレーム１３９２の狭い端部は、ノズル１３００の前方に向かう縁部に設けられた対応する第１の空気出口１３１０ａ、１３１０ｂの中に収まる。従って、フレーム１３９２のこのテーパ部分は、第１の空気出口１３１０ａ、１３１０ｂに向けて主空気流を流し込み、第１の空気出口１３１０ａ、１３１０ｂのダクト１３１１を形成するように、空気案内部材として機能する。
【００８２】
従って、図５に示すように、第１の空気出口１３１０ａ、１３１０ｂの各々は、対応するヒータ組立体１３９０のフレーム１３９２によって定められたノズル１３００の内部通路１３３０内に対応する第１の空気流チャンネル１３１２ａ、１３１２ｂを備える。第１の空気流チャンネル１３１２ａ、１３１２ｂの各々は、空気流を対応する第１の空気出口１３１０ａ、１３１０ｂに向かわせるように配置される。ヒータ組立体１３９０のフレーム１３９２の内縁によって定められる、第１の空気流チャンネル１３１２ａ、１３１２ｂの中への空気入口は、ボア／開口部１５００の中心軸線（Ｘ）と実質的に垂直である。
【００８３】
一対の第１の空気出口１３１０ａ、１３１０ｂから放出された空気流が、ファン組立体１０００の外側から空気を引き込み、この空気と組み合わさって増幅空気流を形成するために、第１の空気出口１３１０ａ、１３１０ｂは、ノズル１３００によって構成される開口部／ボア１５００の中心軸線（Ｘ）と実質的に平行な方向に、すなわち、中心軸線から離れて−３０度〜＋３０度の角度、好ましくは中心軸線から離れて−２０度〜＋２０度の角度、より好ましくは中心軸線から離れて−１０度〜＋１０度の角度をなす方向に、放出される空気流を向かわせるように配置される。そうするために、第１の空気出口１３１０ａ、１３１０ｂは、第１の空気出口１３１０ａ、１３１０ｂのダクト１３１１が、ノズル１３００によって定められる開口部／ボア１５００の中心軸線（Ｘ）と実質的に垂直であるように配置されている。
【００８４】
次に、第２の空気出口１３２０は、第２の空気出口１３２０のダクト１３２１がノズル１３００によって構成される開口部／ボア１５００の中心軸線（Ｘ）に対して実質的に垂直であるように配置されている。その結果、第２の空気出口１３２０から放出される非増幅空気流は、ノズル１３００によって定められた開口部／ボア１５００の中心軸線（Ｘ）から離れて実質的に垂直に向かうようになる。図５に示されているように、第２の空気出口１３２０のダクト１３２１は、ボア１５００を通して引き込まれる空気の方向と実質的に垂直である方向に本体１１００から受け取った主空気流をノズル１３００の外周に運ぶ内部通路１３３０から延びている。
【００８５】
図５に示されている実施形態では、内部通路内にバッフル１４２０が設けられており、このバッフル１４２０は、内部通路１３３０内に主空気流を第２の空気出口１３２０に向かわせるように配置された第２の空気流チャンネル１３２２を定める。バッフル１４２０は、少なくとも部分的に内部通路１３３０を定めるノズル１３００の内面から内部通路１３３０に広がり、第２の空気流チャンネル１３２２は、バッフル１４２０の片面にある内部通路１３３０の部分である。特に、第２の空気流チャンネル１３２２は、バッフル１４２０及び第２の空気流チャンネル１３２０に隣接した部分であるノズル１３００の内面の部分によって境界決めされている内部通路１３３０の部分を含む。
【００８６】
バッフル１４２０は、湾曲した後側ケーシング部分１３８０から内部通路１３３０内に延びるバッフル壁によって提供される。バッフル壁１４２０は、湾曲した後側ケーシング部分１３８０の外側端に連結されており、前側部分１４２１及び後側部分１４２２を有する。バッフル壁１４２０の後側部分１４２２は、湾曲した後側ケーシング部分１３８０の外側端からボア１５００の中心軸線（Ｘ）に向けて内方に角度付けされている。次に、バッフル壁１４２０の前側部分１４２１は、この前側部分１４２１が外側ケーシング部分１３６０と平行であり、この前側部分１４２１の大部分が外側ケーシング部分１３６０と重なるように、後側部分１４２２に対して角度付けされている。従って、バッフル壁１４２０の前側部分１４２１と外側ケーシング部分１３６０の重なる部分との間に位置する内部通路１３３０の部分は、内部通路１３３０内で第２の空気流チャンネル１３２２を形成し、バッフル壁１４２０の角度付けされた後側部分１４２２は、ノズル１３００によって定められた開口部／ボア１５００の中心軸線（Ｘ）に対して実質的に垂直である第２の空気出口１３２０のダクト１３２１を提供する。バッフル壁１４２１の前端部及び外側ケーシング部分１３６０の内面によって定められる、第２の空気流チャンネル１３２２内への空気入口は、ノズル１３００によって定められた開口部／ボア１５００の中心軸線（Ｘ）と実質的に垂直である。
【００８７】
例示の実施形態において、図３ａから５に示すように、バッフル壁１４２０は、内部通路１３３０の細長い側部１３０１、１３０２に沿って及び上側湾曲部分１３０３の周囲に延びている。バッフル壁１４２０の細長い側部は略直線状であるが、バッフル壁１４２０の下端は、主空気流がこの下端から第２の空気流チャンネル１３２２に入ることができないように、内部通路１３３０の下側湾曲部分１３０４の内面に出会うまで、下側湾曲部分１３０４の一部にのみ延びている。また、バッフル壁１４２０の前端上に設けられたガスケット１４２３は、バッフル壁１４２０の下端のまわりに延び、バッフル壁１４２０と内部通路１３２０の下側湾曲部分１３０４の内面との間に形成されたシールを改善する。
【００８８】
加えて、バッフル壁１４２０は、上側湾曲部分１３０３のピーク／中央に突出部１４２４をさらに含み、突出部１４２４は、バッフル壁１４２０の外方に向いた面から外側ケーシング部分１３６０の内面まで延び、それによって、内部通路１３３０から第２の空気流チャンネル１３２２の隣接する部分を分離し、内部通路１３３０から第２空気流チャンネル１３２２内への開口部／入り口を２つの部分であって、各々が、細長い側部１３０１、１３０２まで、及び上側湾曲部分１３０３のピーク突出部に達するまで内部通路１３３０の上側湾曲部分１３０３のまわりに部分的に延びる２つの開口部／入り口部分に分割する。
【００８９】
例示の実施形態において、次に、ファン組立体１０００は、第１の空気出口１３１０ａ、１３１０ｂ及び第２の空気出口１３２０の一方又は両方に主空気流を向かわせるように配置された弁１４００を含む。そのために、弁１４００は、一対の弁部材１４１０ａ、１４１０ｂを含み、一対の弁部材１４１０ａ、１４１０ｂは、一対の弁部材１４１０ａ、１４１０ｂの位置に応じて第１の空気出口１３１０ａ、１３１０ｂ及び第２の空気出口１３２０の一方又は両方に主空気流を向かわせるように配置されている。従って、各弁部材１４１０ａ、１４１０ｂは、弁部材が主空気流を一対の第１の空気出口１３１０ａ、１３１０ｂの対応する１つに向かわせると共に、主空気流が第２の空気出口１３２０に到達するのを防止する／妨げる第１の端位置と、弁部材が主空気流を第２の空気出口１３２０に向かわせると共に、主空気流が対応する第１の空気出口１３１０ａ、１３１０に到達するのを防止する／妨げる第２の端位置との間で移動可能であるように構成されている。弁部材１４１０ａ、１４１０ｂが、第１の端位置と第２の端位置の間に位置する場合、弁部材は、主空気流の第１の部分を第１の空気出口１３１０ａ、１３１０ｂに向かわせ、主空気流の第２の部分を第２の空気出口１３２０に向かわせる。弁部材１４１０ａ、１４１０ｂが第１の端位置に近いほど、第１の空気出口１３１０ａ、１３１０ｂに向けられる第１の部分を成す主空気流の比率が大きくなる。逆に、弁部材１４１０ａ、１４１０ｂが第２の端位置に近いほど、第２の空気出口１３２０に向けられる第２の部分を成す主空気流の比率が大きくなる。
【００９０】
例示の実施形態において、弁１４００は、ノズル１３００の内部通路１３３０内に設けられている。その結果、各弁部材１４１０ａ、１４１０ｂは、第１の端位置にある場合に、空気流が第２の空気流チャンネル１３２２に入るのを実質的に防止するように内部通路１３３０の残りの部分から第２の空気流チャンネル１３２２を閉鎖し、第２の端位置にある場合に、空気流が第１の空気流チャンネル１３１２ａ、１３１２ｂに入るのを実質的に防止するように内部通路１３３０の残りの部分から対応する第１の空気流チャンネル１３１２ａ、１３１２ｂを閉鎖するように配置されている。
【００９１】
従って、各弁部材１４１０ａ、１４１０ｂは、第１の端位置で、第２の流体出口１３２０に隣接しているノズル１３００の内面及びバッフル１４２０の両方に対して当接し／封止され、それによって、内部通路１３３０の残りの部分から第２の空気流チャンネル１３２２の対応する入口部分を実質的に閉鎖するように配置されている。バッフル壁１４２０の前端上に設けられたガスケット１４２３は、弁部材１４１０ａ、１４１０ｂが第１の端位置にあると場合に、弁部材１４１０ａ、１４１０ｂとバッフル１４２０との間のシールを改善する。また、各弁部材１４１０ａ、１４１０ｂは、第２の端位置で、対応するヒータ組立体１３９０のフレーム１３９２の内周／内縁に対して当接し／封止され、それによって、図５に示されているように、内部通路１３３０の残りの部分から対応する第１の空気流チャンネル１３１２ａ、１３１２ｂを実質的に閉鎖するように配置されている。従って、各弁部材１４１０ａ、１４１０ｂの形状は、内部通路１３３０の整合した部分の形状と実質的に対応／一致／相関している。従って、ノズル１３００の分解図を提示する図９に示されているように、各弁部材１４１０ａ、１４１０ｂは、細長い部分及び湾曲端を有する略Ｊ字形であり、また、細長い部分及び湾曲端を含む略Ｊ字形の横断面を有する。
【００９２】
弁部材１４１０ａ、１４１０ｂを第１の端位置から第２の端位置までの任意の位置に移動させるために、ファン組立体１０００は、主制御回路１１７０からの信号に応答して弁部材１４１０ａ、１４１０ｂの移動を生じさせるように構成された弁モータ１４３０を備える。図１０に示されているように、弁モータ１４３０は、湾曲した又は円弧状のラック１４４０と係合するピニオン１４３１を回転させるように構成されており、弁モータ１４３０の回転は、ピニオン１４３１とラック１４４０の両方の回転を生じさせ、弁１４００は、ラック１４４０の回転が、弁部材１４１０ａ、１４１０ｂの移動を生じさせるように、構成されている。
【００９３】
例示の実施形態において、弁モータ１４３０は、上側湾曲部分１３０３のピーク又は中央において内部通路１３３０内でバッフル壁１４２０上に取り付けられており、次に、バッフル壁１４２０は、後側ケーシング部分１３８０に取り付けられている。次に、弁モータ１４３０の回転シャフト１４３２は、後側ケーシング１３８０に向かって突出し、シャフト１４３２の回転軸線は、ボア／開口部１５００の中心軸線（Ｘ）と平行である。ピニオン１４３１は、回転シャフト１４３２上に取り付けられており、ピニオン１４３１の歯は、円弧状ラック１４４０に係合し、円弧状ラック１４４０の形状は、内部通路１３３０の上側湾曲部分１３０３の形状と実質的に対応／一致／相関している。
【００９４】
ノズル１３００は、細長い環状形状を有しているので、ラック１４４０は、劣弧形状を有しており、ラック１４４０は、１８０°よりも小さい角度に対応する。特に、円弧状ラック１４４０は、ノズル１３００によって構成される内部通路１３３０の上側湾曲部分１３０３の大部分のまわりに延びるようになり、円弧状ラック１４４０の端は各々、ノズル１３００内に取り付けられる場合に内部通路１３３０のそれぞれの細長い側部１３０１、１３０２と整列する。
【００９５】
上述したように、第１の空気流チャンネル１３１２ａ、１３１２ｂ内への入口、及び第２の空気流チャンネル１３２２の対応する入口部分は、互いに整列しており、ボア／開口部１５００の中心軸線（Ｘ）と平行である。その結果、弁部材１４１０ａ、１４１０ｂが、第１の端位置にあるときに第２の空気流チャンネル１３２２を閉鎖し、第２の端位置にあるときに第１の空気流チャンネル１３１２ａ、１３１２ｂを閉鎖するために、弁部材１４１０ａ、１４１０ｂは各々、ボア／開口部１５００の中心軸線（Ｘ）と実質的に平行な方向に移動するように構成されている。従って、弁１４００は、ラック１４４０の回転が、ボア／開口部１５００の中心軸線（Ｘ）と実質的に平行な方向への弁部材１４１０ａ、１４１０ｂの移動に変換されるように構成されている。
【００９６】
ラック１４４０の回転をボア／開口部１５００の中心軸線（Ｘ）と実質的に平行な方向への弁部材１４１０ａ、１４１０ｂの移動に変換するために、図９及び１０に示されている円弧状ラック１４４０は、ボア／開口部１５００の中心軸線（Ｘ）と実質的に平行な方向にラック１４４０から突出する一対の面１４４１ａ、１４４１ｂを備え、これらの突出する面１４４１ａ、１４４１ｂの各々は、弧状ラック１４４０の湾曲を辿るように湾曲しており、ラック１４４０は、一対の面１４４１ａ、１４４１ｂが、ピニオン１４３１がラック１４４０に係合されるときにピニオン１４３１の両側に位置するように構成されている。次に、これらの突出する面１４４１ａ、１４４１ｂの各々は、ラック１４４０の回転軸線に対して約４５°の角度をなして湾曲面を横切って延び、対応する弁部材１４１０ａ、１４１０ｂから突出するフォロワピン１４１１ａ、１４１１ｂよって係合されるように構成されたカムスロット１４４２ａ、１４４２ｂの形態のリニアカムを備え、突出する面の両方上に設けられたカムスロット１４４２ａ、１４４２ｂは、同じ方向に角度付けされている。
【００９７】
加えて、一対の弁アクチュエータの第１の弁アクチュエータ１４５０ａは、円弧状ラック１４４０の第１の端に回転自在に連結され／取り付けられており、一対の弁アクチュエータの第２の弁アクチュエータ１４５０ｂは、円弧状ラック１４４０の反対側の第２の端に回転自在に連結され／取り付けられている。各弁アクチュエータ１４５０ａ、１４５０ｂは、細長く（内部通路１３３０の細長い側部１３０１、１３０２に沿って延びるように配置され）、弁アクチュエータ１４５０ａ、１４５０ｂの上端に向かって設けられた上側カムスロット１４５１及び弁アクチュエータ１４５０ａ、１４５０ｂの下端に向かって設けられた下側カムスロット１４５２を備える。上側カムスロット１４５１、下側カムスロット１４５２は、ボア１５０００の中心軸線（Ｘ）に対して約４５°の角度をなして対応する弁アクチュエータ１４５０ａ、１４５０ｂを横切って延びており、各々、対応する弁部材１４１０ａ、１４１０ｂから突出するフォロワピン１４１２、１４１３によって係合されるように構成されている。弁アクチュエータの第１の弁アクチュエータ１４５０ａ上のカムスロット１４５１ａ、１４５２ａは、カムスロットが弁アクチュエータ１４５０ａの後部から前部に延びるときに、上向きに角度付けされるが、弁アクチュエータの第２の弁アクチュエータ１４５０ｂ上のカムスロット１４５１ｂ、１４５２ｂは、カムスロットが弁アクチュエータ１４５０ｂの後部から前部に延びるときに、下向きに角度付けされる。
【００９８】
従って、各弁部材１４１０ａ、１４１０ｂは、ラック１４４０の対応する部分上に設けられたカムスロット１４４２、それぞれ対応する弁アクチュエータ１４５０ａ、１４５０ｂ上に設けられた上側カムスロット１４５１、及び下側カムスロット１４５２と係合するように構成された３つのフォロワピン１４１１、１４１２、１４１３を含む。
【００９９】
弁部材１４１０ａ、１４１０ｂを第１の端位置から第２の端位置までの任意の位置に移動させるために、主制御回路１１７０は、モータにシャフト１４３２を一方向又は他方向に回転させ、それによって、シャフト１４３２上に設けられたピニオン１４３１の回転を生じさせる信号を弁モータ１４３０に送る。従って、ピニオン１４３１が弧状ラック１４４０と係合することにより、ラック１４４０は、シャフト１４３２と同じ方向に回転される。従って、円弧状ラック１４４０の回転により、ラック１４４０から突出する湾曲面１４４１ａ、１４４１ｂ上に設けられたカムスロット１４４２が、カムスロット内に係合されている対応する弁部材１４１０ａ、１４１０ｂのフォロワピン１４１１に対して移動され、カムスロット１４４２ａ、１４４２ｂの角度が、弧状ラック１４４０の回転運動を、ボア１５０００の中心軸線（Ｘ）と平行な方向への弁部材１４１０ａ、１４１０ｂの直線運動に変換する。特に、円弧状ラック１４４０の回転は、突出する面１４４１ａ、１４４１ｂを同じ方向に回転させる。これに関連して、ラック１４４０から突出する面１４４１ａ、１４４１ｂ上に設けられたカムスロット１４４２ａ、１４４２ｂが同じ方向に角度付けられている場合、同じ方向への湾曲面１４４１ａ、１４４１ｂの回転は、第１の弁部材１４１０ａ及び第２の１４１０ｂの同じ方向への水平方向運動に変換される。
【０１００】
加えて、円弧状ラック１４４０の回転は、円弧状ラック１４４０の第１の端及び第２の端の鉛直方向変位を生じさせ、次に、円弧状ラック１４４０の第１の端及び第２の端の鉛直方向変位は、ラック１４４０の端に回転自在に連結されている弁アクチュエーア１４５０ａ、１４５０ｂを鉛直方向に変位させる。特に、円弧状ラック１４４０の回転は、円弧状ラック１４４０の第１の端及び第２の端、並びに連結されている弁アクチュエータ１４５０ａ、１４５０ｂの一方の上向きの移動を生じさせ、円弧状ラック１４４０の第１の端及び第２の端、並びに連結されている弁アクチュエータ１４５０ａ、１４５０ｂの他方の下向きの移動を生じさせる。弁アクチュエータ１４５０ａ、１４５０ｂの鉛直方向変位は、弁アクチュエータ１４５０ａ、１４５０ｂ上に設けられた角度付けされたカムスロット１４５１、１４５２を、対応する弁部材１４１０ａ、１４１０ｂのそれぞれのカムフォロワ１４１２、１４１３に対して移動させ、カムスロット１４５１、１４５２の角度は、弁アクチュエータ１４５０ａ、１４５０ｂの鉛直方向変位を、ボア１５０００の中心軸線（Ｘ）と平行な方向への弁部材１４１０ａ、１４１０ｂの水平方向移動に変換する。これに関連して、第１の弁アクチュエータ１４５０ａ上に設けられたカムスロット１４５１ａ、１４５２ｂが、第２の弁アクチュエータ１４５０ｂ上に設けられたカムスロットと反対方向に角度付けされている場合、第１の弁アクチュエータ１４５０ａ及び第２の弁アクチュエータ１４５０ｂの反対方向の鉛直方向への変位は、第１の弁部材１４１０ａ及び第２の１４１０ｂの同じ方向への水平方向運動に変換される。
【０１０１】
ファン組立体１０００を作動させるために、ユーザは、ユーザインターフェース上のボタンを押す。ユーザインターフェースは、ファン組立体１０００自体上に、関連したリモコン（図示せず）上に、及び／又は、ファン組立体１０００と無線通信するタブレット又はスマートフォンのような無線コンピュータ装置上に設けることができる。ユーザによるこの動作は、主制御回路１１７０に伝えられ、これに応答して、主制御回路１１７０は、ファンモータ１１５２を作動させてインペラ１１５０を回転させる。インペラ１１５０の回転は、浄化組立体を介して空気入口１１１０を通って主空気流を本体１１００内に引き込ませる。ユーザは、ユーザインターフェースを操作することによって、ファンモータ１１５２の速度を、従って空気入口１１１０を通して本体１１００内に引き込まれる空気の流量を制御することができる。主空気流は、順次、浄化組立体１２００、空気入口１１００、インペラハウジング１１５４、主本体部分１１２０の開放上端の空気ベント１１１５を通過して、ノズル１３００のベース１３５０に位置する空気入口１３４０を経てノズル１３００の内部通路１３３０に入る。
【０１０２】
主空気流は、内部通路１３３０内で２つの空気流に分割され、２つの空気流は各々、内部通路１３３０のそれぞれの直線状部分１３０１、１３０２内で、ノズル１３００の周りを反対の角度方向に通過する。空気流が内部通路１３３０を通過する際、空気は、弁部材１４１０ａ、１４１０ｂの位置に応じて、第１の空気出口１３１０ａ、１３１０ｂ及び第２の空気出口１３２０の一方又は両方を通して放出される。
【０１０３】
例示の実施形態において、内部通路１３３０に設けられた弁部材１４１０ａ、１４１０ｂの両方が第１の端位置にある場合、弁部材１４１０ａ、１４１０ｂの略Ｊ字形横断面部分の細長い部分は、バッフル壁１４２０の前端上に設けられたガスケット１４２３と接触することになり、一方で、弁部材１４１０ａ、１４１０ｂの略Ｊ字形横断面部分の湾曲部分は、外側ケーシング部分１３６０の内面の重なり部分と接触することになる。従って、弁部材１４１０ａ、１４１０ｂは、空気流が第２の空気流チャンネル１３２２に入ることを実質的に防止するように内部通路１３３０の残りの部分から第２の空気流チャンネル１３２２内への入口を実質的に閉鎖するので、主空気流全体を第１の空気流出口１３１０ａ、１３１０ｂに向かわせることになる。内部通路１３３０に設けられた弁部材１４１０ａ、１４１０ｂの両方が第２の端位置にある場合、弁部材１４１０ａ、１４１０ｂの略Ｊ字形横断面部分の細長い部分は、対応するヒータ組立体１３９０ａ、１３９０ｂのフレーム１３９２の内周／縁と接触することになる。従って、弁部材１４１０ａ、１４１０ｂは、内部通路１３３０の残りの部分から第１の空気流チャンネル１３１２ａ、１３１２ｂ内への入口を実質的に閉鎖するので、主空気流全体を第２の空気流出口１３２０に向かわせることになる。弁部材１４１０ａ、１４１０ｂの両方が第１の端位置と第２の端位置との間に位置する場合、第１の空気流チャンネル１３１２ａ、１３１２０ｂ及び第２の空気流チャンネル１３２０の両方は、内部通路１３３０の残りの部分に開放することになり、主空気流の第１の部分は、第１の空気流出口１３１０ａ、１３１０ｂに向けられ、主空気流の第２の部分は、第２の空気流出口１３２０に向けられる。
【０１０４】
ノズル１３００によって定められた開口部／ボア１５００の中心軸線（Ｘ）と実質的に平行な方向に第１の空気出口１３１０ａ、１３１０ｂから主空気流又は主空気流の一部を放出することは、外部環境からの、特にノズル１３００のまわりの領域からの空気の同伴によって二次的空気流が生成される。二次的空気流は、第１の空気流出口１３１０ａ、１３１０ｂから放出される主空気流と組み合わさって、ノズル１３００から前方に放出される組み合わされた増幅空気流を生成する。対照的に、主空気流が実質的にファン組立体１０００から離れて放射／開出するように第２の空気出口１３２０から主空気流が放出されることは、この空気流がファン組立体１０００の外側から、ノズル１３００によって構成される開口部／ボア１５００を通して空気を引き込むことを防止し、それによって、非増幅空気流を生成する。
【０１０５】
上述された個々の要素は、それら自体で、もしくは、図面に示された又は明細書に記載された他の要素と組み合わされて使用することができ、互いに同じ文章で又は互いに同じ図面で言及されている要素が、互いと組み合わされて使用される必要がないことを理解されたい。加えて、表現「手段」は、所望されるように、アクチュエータ又はシステム又はデバイスに置き換えることができる。さらに、「備える（ｃｏｍｐｒｉｓｉｎｇ）」又は「からなる（ｃｏｎｓｉｓｔｉｎｇ）」に対するいかなる言及も、いかなる方法でも制限的であることを意図せず、読者は、明細書および特許請求の範囲を適宜解釈すべきである。
【０１０６】
さらに、本発明は、上述のような好ましい実施形態に関して説明されているが、これらの実施形態は例示にすぎないことを理解すべきである。当業者は、本開示に鑑みて、添付の特許請求の範囲に含まれると見なされる変更及び代替を行うことができるであろう。例えば、当業者は、上記の発明が、自立ファン組立体だけでなく、他のタイプの環境制御ファン組立体に等しく適用可能であることを理解するであろう。例示的に、ファン組立体は、自立ファン組立体、天井又は壁取り付けファン組立体、及び車内ファン組立体のいずれかとすることができる。
【０１０７】
加えて、上述の好ましい実施形態において、コンピュータに実装された方法は、ファン組立体によって実行され、複数のセンサがノズルのベース部で囲まれており、ノズルのベース部が空気入口を備え、空気流が空気入口を通って引き込まれて複数のセンサと接触する。しかしながら、別の実施形態において、複数のセンサは、ノズルのベース部の中ではなく、ファン本体の中に収容することができる。次に、ファン本体は、そこを通って空気流がモータ駆動式インペラによってファン組立体に引き込まれる空気入口と、そこを通って追加の空気流が引き込まれて複数のセンサと接触する追加の空気入口の両方を備えることができる。
【０１０８】
さらに、本明細書に記載の好ましい実施形態においてコンピュータに実装された方法は、センサ及びプロセッサを含むファン組立体によって実行されるが、別の実施形態において、本方法は、プロセッサを含む独立型パーソナルコンピュータデバイス（例えば、スマートフォン、タブレットなど）で実行することができる。次に、センサは、コンピュータデバイスの一体構成要素として、又は一体型ではないがコンピュータデバイスに接続することができる有線又は無線周辺機器として設けることができる。次に、このような独立型パーソナルコンピュータデバイスは、センサによる測定値を使用してファン組立体を囲む周囲空気の空気質特性を監視し、複数のセンサから受け取った測定値に基づいてモータ駆動式インペラの速度を自動的に制御するためにファン組立体と通信するためにユーザが利用することができる。例えば、監視した空気質に基づいてパーソナルコンピュータデバイスによってファン組立体を自動的に制御できるように、パーソナルコンピュータデバイスはファン組立体に無線接続することができる。
【０１０９】
図面を参照して説明した本発明の実施形態は、コンピュータプロセッサ及びコンピュータプロセッサが実行するプロセスを備えるが、本発明は、発明を実現するようになったコンピュータプログラム、詳細には、キャリア上の又はその中のコンピュータプログラムに拡張することもできる。プログラムは、ソースコード又はオブジェクトコードの形態とすること、又は本発明によるプロセスの実現に用いるのに適した他の形態とすることができる。キャリアは、プログラムを保持することができる何らかのエンティティ又はデバイスとすることができる。例えば、キャリアは、ＲＯＭ（例えばＣＤ  ＲＯＭ又は半導体ＲＯＭ）又は磁気記録媒体（例えばフロッピーディスク又はハードディスク）などの記憶媒体を含むことができる。さらに、キャリアは、電気ケーブル又は光ケーブルもしくは無線又は他の手段で搬送することができる電気信号又は光信号などの伝搬性キャリアとすることができる。プログラムがケーブル又は他のデバイス又は手段によって直接送ることができる信号内に統合される場合、キャリアは、このようなケーブル又は他のデバイス又は手段によって構成することができる。もしくは、キャリアは、プログラムが組み込まれる集積回路とすることができ、集積回路は、関連のプロセスを実行するのに又はその実行に用いるのに適している。
【図１】
2021516307.tif 000004
【図２ａ】
2021516307.tif 000005
【図２ｂ】
2021516307.tif 000006
【図３ａ】
2021516307.tif 000007
【図３ｂ】
2021516307.tif 000008
【図４】
2021516307.tif 000009
【図５】
2021516307.tif 000010
【図６】
2021516307.tif 000011
【図７ａ】
2021516307.tif 000012
【図７ｂ】
2021516307.tif 000013
【図８ａ】
2021516307.tif 000014
【図８ｂ】
2021516307.tif 000015
【図９】
2021516307.tif 000016
【図１０】
2021516307.tif 000017
【国際調査報告】
2021516307.tif 000018
2021516307.tif 000019